(57)【要約】【課題】盗電を防止する。さらに、EV/HEVが充電を行う場合に、充電を行うことを許可された電源供給システムであれば、EV/HEVに対し、複数の電源供給システムからの充電も可能にする。【解決手段】EV/HEV２は、登録済みの電源供給システム１からのみ充電が可能となる。電源供給システム１は、EV/HEV２に登録されることを許可したり、拒否したりすることができる。電源供給システム１の登録許可者は、EV/HEV２に対して充電を許可する場合、登録許可信号出力装置３から登録許可信号を送信する。電源供給システム１は、登録許可信号を受信した場合、EV/HEV２にシステム登録情報を送信する。EV/HEV２は、システム登録情報を受信した場合、電源供給システム１を登録する。これにより、EV/HEV２は、電源供給システム１から充電可能となる。本発明は、EV/HEV用充電システムに適用可能である。【選択図】図１
2010200528.tif 000002
【特許請求の範囲】
【請求項１】
自己を一意に特定する特定情報を、電力の供給先である他の第１の情報処理装置に送信し、前記特定情報が前記他の第１の情報処理装置に登録されている場合には認証に成功したとして、そのことを示す第１の認証成功通知が前記他の第１の情報処理装置から送信されてきたとき、前記第1の認証成功通知を受信し、前記特定情報が前記他の第１の情報処理装置に登録されていない場合には認証に失敗したとして、そのことを示す第１の認証失敗通知が前記他の第１の情報処理装置から送信されてきたとき、前記第１の認証失敗通知を受信する通信手段と、
前記通信手段により前記第１の認証成功通知が受信された場合、前記他の第１の情報処理装置に対する電力の供給を許可し、前記通信手段により前記第１の認証失敗通知が受信された場合、前記他の第１の情報処理装置に対する電力の供給を禁止する電源供給制御手段と
を備える情報処理装置。
【請求項２】
電源供給制御手段は、前記通信手段により前記第１の認証失敗通知が受信されて、前記他の第１の情報処理装置に対する電力の供給を禁止した後、さらに、前記他の第１の情報処理装置による前記情報処理装置自身の登録がなされることを許可する他の第２の情報処理装置に対して、その許可を要求し、
前記他の第２の情報処理により前記許可がなされた場合、さらに、
前記通信手段は、前記特定情報を、通信手段から他の第１の情報処理装置に再度送信し、再度送信された前記特定情報が前記他の第１の情報処理装置により登録され、そのことを示す登録通知が前記他の第１の情報処理装置から送信されてきたとき、前記登録通知を受信し、
前記電源供給制御手段は、前記通信手段により前記登録通知が受信された場合、前記他の第１の情報処理装置に対する電力の供給を許可する
請求項１に記載の情報処理装置。
【請求項３】
前記特定情報は、任意に設定可能な情報である
請求項１に記載の情報処理装置。
【請求項４】
前記通信手段は、前記特定情報を前記他の第１の情報処理装置に送信する前に、さらに、前記他の第１の情報処理装置から、前記他の第１の情報処理装置を一意に特定する他の特定情報が送信されてきた場合、前記他の特定情報を受信し、
前記情報処理装置自身に前記他の特定情報が登録されている場合には認証に成功したとして、そのことを示す第２の認証成功通知を生成する生成手段をさらに備え、
前記通信手段は、前記生成手段により前記第２の認証成功通知が生成された場合、前記特定情報を、前記第２の認証成功通知と共に前記他の第１の情報処理装置に送信する
請求項１に記載の情報処理装置。
【請求項５】
前記生成手段は、さらに、前記情報処理装置自身に前記他の特定情報が登録されていない場合には認証に失敗したとして、そのことを示す第２の認証失敗通知を生成し、
前記通信手段は、前記生成手段により前記第２の認証失敗通知が生成された場合、前記特定情報の送信を禁止して、前記第２の認証失敗通知を前記他の第１の情報処理装置に送信し、
前記電源供給制御手段は、前記通信手段により前記特定情報の送信が禁止されて前記第２の認証失敗通知が送信された後、さらに、前記他の第１の情報処理装置による前記情報処理装置自身の登録がなされることを許可する他の第２の情報処理装置に対して、その許可を要求し、
前記電源供給制御手段は、前記他の第２の情報処理により前記許可がなされた場合、さらに、前記他の特定情報を前記情報処理装置自身に登録し、
前記通信手段は、前記電源供給制御手段により前記他の特定情報が登録された場合、さらに、前記特定情報を、前記通信手段から前記他の第１の情報処理装置に再度送信し、再度送信された前記登録情報が前記他の第１の情報処理装置により登録され、そのことを示す登録情報が前記他の第１の情報処理装置から送信されてきたとき、前記登録情報を受信し、
前記電源供給制御手段は、前記通信手段により前記登録情報が受信された場合、前記他の第１の情報処理装置に対する電力の供給を許可する
請求項４に記載の情報処理装置。
【請求項６】
他の情報処理装置に対して電力を供給する情報処理装置が、
前記情報処理装置自身を一意に特定する特定情報を、前記他の情報処理装置に送信し、
前記特定情報が前記他の情報処理装置に登録されている場合には認証に成功したとして、そのことを示す認証成功通知が前記他の情報処理装置から送信されてきたとき、前記認証成功通知を受信し、前記他の情報処理装置に対する電力の供給を許可し、
前記特定情報が前記他の情報処理装置に登録されていない場合には認証に失敗したとして、そのことを示す認証失敗通知が前記他の情報処理装置から送信されてきたとき、前記認証失敗通知を受信し、前記他の情報処理装置に対する電力の供給を禁止する
ステップを含む情報処理方法。
【請求項７】
他の情報処理装置に対して電力を供給する装置を制御するコンピュータに、
前記情報処理装置自身を一意に特定する特定情報を、前記他の情報処理装置に送信し、
前記特定情報が前記他の情報処理装置に登録されている場合には認証に成功したとして、そのことを示す認証成功通知が前記他の情報処理装置から送信されてきたとき、前記認証成功通知を受信し、前記他の情報処理装置に対する電力の供給を許可し、
前記特定情報が前記他の情報処理装置に登録されていない場合には認証に失敗したとして、そのことを示す認証失敗通知が前記他の情報処理装置から送信されてきたとき、前記認証失敗通知を受信し、前記他の情報処理装置に対する電力の供給を禁止する
ステップを含む制御処理を実行させるプログラム。
【請求項８】
電力の提供を受ける他の第１の情報処理装置から、前記他の第１の情報処理装置を一意に特定する特定情報が送信されてきた場合、前記特定情報を受信し、
前記特定情報が登録済みの場合には認証に成功したとして、そのことを示す第１の認証成功通知を前記他の第１の情報処理装置に送信し、前記第１の認証成功通知を受信した前記他の第１の情報処理装置により電力が供給されてきたとき、その電力を用いて所定の処理を実行し、
前記特定情報が未登録の場合には認証に失敗したとして、そのことを示す第１の認証失敗通知を前記他の第１の情報処理装置に送信する
情報処理装置。
【請求項９】
前記他の第１の情報処理装置によって、前記第１の認証失敗通知が受信されて、前記情報処理装置自身に対する電力の供給が禁止された後、
前記情報処理装置自身による前記他の第１の情報処理装置の登録がなされることが他の第２の情報処理装置によって許可され、
前記他の第１の情報処理装置によって、前記特定情報が再度送信されてきた場合、
前記情報処理装置は、
再度送信された前記特定情報を受信し、
前記特定情報を登録して、そのことを示す登録通知を前記他の第１の情報処理装置に送信し、
前記登録通知を受信した前記他の第１の情報処理装置により電力が供給されてきたとき、その電力を用いて前記所定の処理を実行する
請求項８に記載の情報処理装置。
【請求項１０】
前記特定情報は、任意に設定可能な情報である
請求項９に記載の情報処理装置。
【請求項１１】
前記情報処理装置は、さらに、
前記他の第１の情報処理装置によって前記特定情報が送信されてくるよりも前に、前記情報処理装置自身を一意に特定する他の特定情報を送信し、
前記他の第１の情報処理装置によって、前記他の特定情報が受信され、前記他の第１の情報処理装置に前記他の特定情報が登録済みの場合には認証に成功したとして、そのことを示す第２の認証成功通知と、前記特定情報とが共に送信されてきた場合、前記特定情報に加えてさらに、前記第２の認証成功通知を受信する
請求項８に記載の情報処理装置。
【請求項１２】
前記情報処理装置は、さらに、
前記他の第１の情報処理装置に前記他の特定情報が登録されていない場合には認証に失敗したとして、前記特定情報の送信が禁止されて、そのことを示す第２の認証失敗通知が送信されてきたとき、前記第２の認証失敗通知を受信し、
前記他の第１の情報処理装置によって、前記特定情報の送信が禁止されて前記第２の認証失敗通知が送信された後、前記情報処理装置自身による前記他の第１の情報処理装置の登録がなされることが他の第２の情報処理装置によって許可され、前記他の第１の情報処理装置によって、前記特定情報が再度送信されてきた場合、再度送信された前記特定情報を受信し、
前記特定情報を登録して、そのことを示す登録通知を前記他の第１の情報処理装置に送信し、
前記登録通知を受信した前記他の第１の情報処理装置により電力が供給されてきたとき、その電力を用いて前記所定の処理を実行する
請求項１１に記載の情報処理装置。
【請求項１３】
他の情報処理装置から電力の提供を受ける情報処理装置が、
前記他の情報処理装置を一意に特定する特定情報が前記他の情報処理装置から送信されてきた場合、前記特定情報を受信し、
前記特定情報が登録済みの場合には認証に成功したとして、そのことを示す認証成功通知を前記他の情報処理装置に送信し、前記認証成功通知を受信した前記他の情報処理装置により電力が供給されてきたとき、その電力を用いて所定の処理を実行し、
前記特定情報が未登録の場合には認証に失敗したとして、そのことを示す認証失敗通知を前記他の情報処理装置に送信する
ステップを含む情報処理方法。
【請求項１４】
他の情報処理装置から電力の提供を受ける装置を制御するコンピュータに、
前記他の情報処理装置を一意に特定する特定情報が前記他の情報処理装置から送信されてきた場合、前記特定情報を受信し、
前記特定情報が登録済みの場合には認証に成功したとして、そのことを示す認証成功通知を前記他の情報処理装置に送信し、前記認証成功通知を受信した前記他の情報処理装置により電力が供給されてきたとき、その電力を用いて所定の処理を実行し、
前記特定情報が未登録の場合には認証に失敗したとして、そのことを示す認証失敗通知を前記他の情報処理装置に送信する
ステップを含む制御処理を実行させるプログラム。
【請求項１５】
電力の供給先である他の情報処理装置の使用者を一意に特定する特定情報を、前記他の情報処理装置に送信し、
送信された前記特定情報と、前記使用者により前記他の情報処理装置に入力された前記特定情報とが一致した場合には認証に成功したとして、そのことを示す認証成功通知が前記他の情報処理装置から送信されてきたとき、前記認証成功通知を受信し、前記他の情報処理装置に対する電力の供給を許可し、
送信された前記特定情報と、前記使用者により前記他の情報処理装置に入力された前記特定情報とが不一致の場合には認証に失敗したとして、そのことを示す認証失敗通知が前記他の情報処理装置から送信されてきたとき、前記認証失敗通知を受信し、前記他の情報処理装置に対する電力の供給を禁止する
情報処理装置。
【請求項１６】
他の情報処理装置に対して電力を供給する情報処理装置が、
電力の供給先である他の情報処理装置の使用者を一意に特定する特定情報を、前記他の情報処理装置に送信し、
送信された前記特定情報と、前記使用者により前記他の情報処理装置に入力された前記特定情報とが一致した場合には認証に成功したとして、そのことを示す認証成功通知が前記他の情報処理装置から送信されてきたとき、前記認証成功通知を受信し、前記他の情報処理装置に対する電力の供給を許可し、
送信された前記特定情報と、前記使用者により前記他の情報処理装置に入力された前記特定情報とが不一致の場合には認証に失敗したとして、そのことを示す認証失敗通知が前記他の情報処理装置から送信されてきたとき、前記認証失敗通知を受信し、前記他の情報処理装置に対する電力の供給を禁止する
ステップを含む情報処理方法。
【請求項１７】
他の情報処理装置に対して電力を供給する装置を制御するコンピュータに、
電力の供給先である他の情報処理装置の使用者を一意に特定する特定情報を、前記他の情報処理装置に送信し、
送信された前記特定情報と、前記使用者により前記他の情報処理装置に入力された前記特定情報とが一致した場合には認証に成功したとして、そのことを示す認証成功通知が前記他の情報処理装置から送信されてきたとき、前記認証成功通知を受信し、前記他の情報処理装置に対する電力の供給を許可し、
送信された前記特定情報と、前記使用者により前記他の情報処理装置に入力された前記特定情報とが不一致の場合には認証に失敗したとして、そのことを示す認証失敗通知が前記他の情報処理装置から送信されてきたとき、前記認証失敗通知を受信し、前記他の情報処理装置に対する電力の供給を禁止する
ステップを含む制御処理を実行させるプログラム。
【請求項１８】
自分自身を使用する使用者を一意に特定する特定情報が、電力を提供可能な他の情報処理装置から送信されてきた場合、前記特定情報を受信し、
前記特定情報が登録済みの場合には認証に成功したとして、そのことを示す認証成功通知を前記他の情報処理装置に送信し、前記認証成功通知を受信した前記他の情報処理装置により電力が供給されてきたとき、その電力を用いて所定の処理を実行し、
前記特定情報が未登録の場合には認証に失敗したとして、そのことを示す認証失敗通知を前記他の情報処理装置に送信する
情報処理装置。
【請求項１９】
他の情報処理装置に対して電力を供給する情報処理装置が、
前記情報処理装置自身の使用者を一意に特定する特定情報が、電力を提供可能な他の情報処理装置から送信されてきた場合、前記特定情報を受信し、
前記特定情報が登録済みの場合には認証に成功したとして、そのことを示す認証成功通知を前記他の情報処理装置に送信し、前記認証成功通知を受信した前記他の情報処理装置により電力が供給されてきたとき、その電力を用いて所定の処理を実行し、
前記特定情報が未登録の場合には認証に失敗したとして、そのことを示す認証失敗通知を前記他の情報処理装置に送信する
ステップを含む情報処理方法。
【請求項２０】
他の情報処理装置に対して電力を供給する装置を制御するコンピュータに、
前記情報処理装置自身の使用者を一意に特定する特定情報が、電力を提供可能な他の情報処理装置から送信されてきた場合、前記特定情報を受信し、
前記特定情報が登録済みの場合には認証に成功したとして、そのことを示す認証成功通知を前記他の情報処理装置に送信し、前記認証成功通知を受信した前記他の情報処理装置により電力が供給されてきたとき、その電力を用いて所定の処理を実行し、
前記特定情報が未登録の場合には認証に失敗したとして、そのことを示す認証失敗通知を前記他の情報処理装置に送信する
ステップを含む制御処理を実行させるプログラム。
【発明の詳細な説明】
【技術分野】
【０００１】
本発明は、情報処理装置及び方法、プログラム、並びに情報処理システムに関し、特に、盗電を防止すると共に、充電を許可された複数の電源供給装置においても充電を可能にする情報処理装置、方法、及びプログラム、並びに情報処理システムに関する。
【背景技術】
【０００２】
近年、環境対策として、電気自動車（Electric Vehicle：以下、EVと称する）やハイブリッド電気自動車（Hybrid Electric Vehicle：以下、HEVと称する）の普及が進められている。特に、家庭用電源でバッテリに充電が可能であるプラグインEVやプラグインHEVといった車両（以下、これらの車両を総称してEV/HEVと称する）は、今後さらに普及が進むものと考えられている。
【０００３】
このように、EV/HEVは、家庭用電源で充電できるので、街頭や店頭にある一般の電気コンセント（英語でoutlet）、例えば、屋外にある自動販売機や公衆電話などの標準的なコンセントからも充電ができることになる。よって、コンセント（電源）の使用権原のない者による電力が使用されるおそれ、即ち盗電されるおそれがある。
【０００４】
このような盗電を予防するための従来の手法が、例えば特許文献１に開示されている。即ち、電源供給施設内に設けた充電用のECU(Electronic Control Unit)を用いて、電源供給施設外のコンセントとEV/HEVとをつなぐケーブルを通じて認証を行い、認証が成立すると充電を開始することで、盗電を防ぐ、といった手法が特許文献１に開示されている。
【先行技術文献】
【特許文献】
【０００５】
【特許文献１】特開２００８−６１４３２号公報
【発明の概要】
【発明が解決しようとする課題】
【０００６】
しかしながら、上述の従来の手法では、特定のEV/HEVの充電には、それを認証する認証装置が必要となる。一般的には、認証装置は、そのEV/HEVの使用者（以下、EV/HEV使用者と称する）の自宅等の電源を用いて充電すべく、自宅等に配置されている。即ち、認証装置は、一般的には、屋外にある電源供給施設に配置されていないので、EV/HEV使用者は、認証装置をEV/HEVに搭載して持ち運ばなければならない。換言すると、家に置き忘れた等により認証装置をEV/HEVに搭載していない場合には、電源供給施設側でたとえ充電を許可していても、EV/HEVへの充電が不可能となる。このため、充電不足によりEV/HEVが走行不能となることが考えられる。
【０００７】
また、認証装置がEV/HEVに搭載されて持ち運ばれている状態で、EV/HEVそのものが盗難された場合、盗電を防止することができない。
【０００８】
本発明は、このような状況に鑑みてなされたものであり、盗電を防止することができるようにするものである。さらに、EV/HEVが充電を行う場合に、充電を行うことを許可された電源供給システムであれば、EV/HEVに対し、複数の電源供給システムからの充電も可能にするものである。
【課題を解決するための手段】
【０００９】
本発明の一側面の第１の情報処理装置は、自己を一意に特定する特定情報を、電力の供給先である他の第１の情報処理装置に送信し、特定情報が他の第１の情報処理装置に登録されている場合には認証に成功したとして、そのことを示す第１の認証成功通知が他の第１の情報処理装置から送信されてきたとき、第1の認証成功通知を受信し、特定情報が他の第１の情報処理装置に登録されていない場合には認証に失敗したとして、そのことを示す第１の認証失敗通知が他の第１の情報処理装置から送信されてきたとき、第１の認証失敗通知を受信する通信手段と、通信手段により第１の認証成功通知が受信された場合、他の第１の情報処理装置に対する電力の供給を許可し、通信手段により第１の認証失敗通知が受信された場合、他の第１の情報処理装置に対する電力の供給を禁止する電源供給制御手段とを含む。
【００１０】
本発明の一側面の第１の情報処理装置においては、自己を一意に特定する特定情報が、電力の供給先である他の第１の情報処理装置に送信され、特定情報が他の第１の情報処理装置に登録されている場合には認証に成功したとして、そのことを示す第１の認証成功通知が他の第１の情報処理装置から送信されてきたとき、第1の認証成功通知が受信され、特定情報が他の第１の情報処理装置に登録されていない場合には認証に失敗したとして、そのことを示す第１の認証失敗通知が他の第１の情報処理装置から送信されてきたとき、第１の認証失敗通知が受信され、第１の認証成功通知が受信された場合、他の第１の情報処理装置に対する電力の供給が許可され、通信手段により第１の認証失敗通知が受信された場合、他の第１の情報処理装置に対する電力の供給が禁止される。
【００１１】
これにより、第１の情報処理装置から他の第１の情報処理装置への不正な電力の供給を防止することができる。
【００１２】
第１の情報処理装置は、例えば、電源供給システム内の電源供給制御装置により構成される。他の第１の情報処理装置は、例えば、EV/HEVに搭載される充電用ECUにより構成される。
【００１３】
第１の情報処理装置の通信手段は、例えば、コンセント自身またはコンセントを介する通信を行う機能を有するハードウエア若しくはソフトウエアまたはそれらの組み合わせにより構成される。また、第１の情報処理装置の電源供給制御手段は接続スイッチや登録認証部を構成するハードウエア若しくはソフトウエアまたはそれらの組み合わせにより構成される。
【００１４】
電源供給制御手段は、通信手段により第１の認証失敗通知が受信されて、他の第１の情報処理装置に対する電力の供給を禁止した後、さらに、他の第１の情報処理装置による情報処理装置自身の登録がなされることを許可する他の第２の情報処理装置に対して、その許可を要求し、他の第２の情報処理により許可がなされた場合、さらに、通信手段は、特定情報を、通信手段から他の第１の情報処理装置に再度送信し、再度送信された特定情報が他の第１の情報処理装置により登録され、そのことを示す登録通知が他の第１の情報処理装置から送信されてきたとき、登録通知を受信し、電源供給制御手段は、通信手段により登録通知が受信された場合、他の第１の情報処理装置に対する電力の供給を許可することができる。
【００１５】
他の第２の情報処理装置は、例えば、登録許可信号を出力可能な登録許可信号出力装置により構成される。
【００１６】
これにより、第１の情報処理装置が他の第１の情報処理装置に登録され、よって、他の第１の情報処理装置への電力の供給を許可することができる。
【００１７】
特定情報は、任意に設定可能な情報である。
【００１８】
これにより、第１の情報処理装置は、特定情報を任意に設定することができる。
【００１９】
この第１の情報処理装置においては、通信手段は、特定情報を他の第１の情報処理装置に送信する前に、さらに、他の第１の情報処理装置から、他の第１の情報処理装置を一意に特定する他の特定情報が送信されてきた場合、他の特定情報を受信し、第１の情報処理装置自身に他の特定情報が登録されている場合には認証に成功したとして、そのことを示す第２の認証成功通知を生成する生成手段をさらに設け、通信手段は、生成手段により第２の認証成功通知が生成された場合、特定情報を、第２の認証成功通知と共に他の第１の情報処理装置に送信することができる。
【００２０】
これにより、第１の情報処理装置と他の第１の情報処理装置とが互いを登録している場合に、第１の情報処理装置から他の第１の情報処理装置への電力の供給が可能となる。
【００２１】
第１の情報処理装置の生成手段は、例えば、電源供給システム内の電源供給制御装置により構成される。
【００２２】
生成手段は、さらに、第１の情報処理装置自身に他の特定情報が登録されていない場合には認証に失敗したとして、そのことを示す第２の認証失敗通知を生成し、通信手段は、生成手段により第２の認証失敗通知が生成された場合、特定情報の送信を禁止して、第２の認証失敗通知を他の第１の情報処理装置に送信し、電源供給制御手段は、通信手段により特定情報の送信が禁止されて第２の認証失敗通知が送信された後、さらに、他の第１の情報処理装置による第１の情報処理装置自身の登録がなされることを許可する他の第２の情報処理装置に対して、その許可を要求し、電源供給制御手段は、他の第２の情報処理により許可がなされた場合、さらに、他の特定情報を第１の情報処理装置自身に登録し、通信手段は、電源供給制御手段により他の特定情報が登録された場合、さらに、特定情報を、通信手段から他の第１の情報処理装置に再度送信し、再度送信された登録情報が他の第１の情報処理装置により登録され、そのことを示す登録情報が他の第１の情報処理装置から送信されてきたとき、登録情報を受信し、電源供給制御手段は、通信手段により登録情報が受信された場合、他の第１の情報処理装置に対する電力の供給を許可することができる。
【００２３】
これにより、第１の情報処理装置と他の第１の情報処理装置とが互いを登録していない場合に、第１の情報処理装置と他の第１の情報処理装置とが互いを登録することができ、第１の情報処理装置から他の第１の情報処理装置への電力の供給が可能となる。
【００２４】
本発明の一側面の第２の情報処理装置は、電力の提供を受ける他の第１の情報処理装置から、他の第１の情報処理装置を一意に特定する特定情報が送信されてきた場合、特定情報を受信し、特定情報が登録済みの場合には認証に成功したとして、そのことを示す第１の認証成功通知を他の第１の情報処理装置に送信し、第１の認証成功通知を受信した他の第１の情報処理装置により電力が供給されてきたとき、その電力を用いて所定の処理を実行し、特定情報が未登録の場合には認証に失敗したとして、そのことを示す第１の認証失敗通知を他の第１の情報処理装置に送信する。
【００２５】
本発明の一側面の第２の情報処理装置においては、電力の提供を受ける他の第１の情報処理装置から、他の第１の情報処理装置を一意に特定する特定情報が送信されてきた場合、特定情報が受信され、特定情報が登録済みの場合には認証に成功したとして、そのことを示す第１の認証成功通知が他の第１の情報処理装置に送信され、第１の認証成功通知を受信した他の第１の情報処理装置により電力が供給されてきたとき、その電力を用いて所定の処理が実行され、特定情報が未登録の場合には認証に失敗したとして、そのことを示す第１の認証失敗通知が他の第１の情報処理装置に送信される。
【００２６】
第２の情報処理装置は、例えば、EV/HEVに搭載される充電用ECUにより構成される。他の第１の情報処理装置は、例えば、電源供給システム内の電源供給制御装置により構成される。
【００２７】
これにより、他の第１の情報処理装置からの第２の情報処理装置への不正な電力の供給を防止することができる。
【００２８】
この第２の情報処理装置においては、他の第１の情報処理装置によって、第１の認証失敗通知が受信されて、第２の情報処理装置自身に対する電力の供給が禁止された後、第２の情報処理装置自身による他の第１の情報処理装置の登録がなされることが他の第２の情報処理装置によって許可され、他の第１の情報処理装置によって、特定情報が再度送信されてきた場合、第２の情報処理装置は、再度送信された特定情報を受信し、特定情報を登録して、そのことを示す登録通知を他の第１の情報処理装置に送信し、登録通知を受信した他の第１の情報処理装置により電力が供給されてきたとき、その電力を用いて所定の処理を実行することができる。
【００２９】
他の第２の情報処理装置は、例えば、登録許可信号を出力可能な登録許可信号出力装置により構成される。
【００３０】
これにより、第２の情報処理装置は、他の第１の情報処理装置を登録し、よって、第２の情報処理装置は、他の第１の情報処理装置からの電力の供給を受けることができる。
【００３１】
この第２の情報処理装置においては、特定情報は、任意に設定可能な情報である。
【００３２】
これにより、第２の情報処理装置は、特定情報を任意に設定することができる。
【００３３】
この第２の情報処理装置においては、さらに、他の第１の情報処理装置によって特定情報が送信されてくるよりも前に、第２の情報処理装置自身を一意に特定する他の特定情報を送信し、他の第１の情報処理装置によって、他の特定情報が受信され、他の第１の情報処理装置に他の特定情報が登録済みの場合には認証に成功したとして、そのことを示す第２の認証成功通知と、特定情報とが共に送信されてきた場合、特定情報に加えてさらに、第２の認証成功通知を受信することができる。
【００３４】
これにより、第２の情報処理装置と他の第１の情報処理装置とが互いを登録している場合に、他の第１の情報処理装置から第２の情報処理装置への電力の供給が可能となる。
【００３５】
この第２の情報処理装置においては、さらに、他の第１の情報処理装置に他の特定情報が登録されていない場合には認証に失敗したとして、特定情報の送信が禁止されて、そのことを示す第２の認証失敗通知が送信されてきたとき、第２の認証失敗通知を受信し、他の第１の情報処理装置によって、特定情報の送信が禁止されて第２の認証失敗通知が送信された後、第２の情報処理装置自身による他の第１の情報処理装置の登録がなされることが他の第２の情報処理装置によって許可され、他の第１の情報処理装置によって、特定情報が再度送信されてきた場合、再度送信された特定情報を受信し、特定情報を登録して、そのことを示す登録通知を他の第１の情報処理装置に送信し、登録通知を受信した他の第１の情報処理装置により電力が供給されてきたとき、その電力を用いて所定の処理を実行することができる。
【００３６】
これにより、第２の情報処理装置と他の第１の情報処理装置とが互いを登録していない場合に、第２の情報処理装置と他の第１の情報処理装置とが互いを登録することができ、他の第１の情報処理装置から第２の情報処理装置への電力の供給が可能となる。
【００３７】
本発明の一側面の第３の情報処理装置は、電力の供給先である他の情報処理装置の使用者を一意に特定する特定情報を、他の情報処理装置に送信し、送信された特定情報と、使用者により他の情報処理装置に入力された特定情報とが一致した場合には認証に成功したとして、そのことを示す認証成功通知が他の情報処理装置から送信されてきたとき、認証成功通知を受信し、他の情報処理装置に対する電力の供給を許可し、送信された特定情報と、使用者により他の情報処理装置に入力された特定情報とが不一致の場合には認証に失敗したとして、そのことを示す認証失敗通知が他の情報処理装置から送信されてきたとき、認証失敗通知を受信し、他の情報処理装置に対する電力の供給を禁止する。
【００３８】
本発明の一側面の第３の情報処理装置においては、電力の供給先である他の情報処理装置の使用者を一意に特定する特定情報が、他の情報処理装置に送信され、送信された特定情報と、使用者により他の情報処理装置に入力された特定情報とが一致した場合には認証に成功したとして、そのことを示す認証成功通知が他の情報処理装置から送信されてきたとき、認証成功通知が受信され、他の情報処理装置に対する電力の供給が許可され、送信された特定情報と、使用者により他の情報処理装置に入力された特定情報とが不一致の場合には認証に失敗したとして、そのことを示す認証失敗通知が他の情報処理装置から送信されてきたとき、認証失敗通知が受信され、他の情報処理装置に対する電力の供給が禁止される。
【００３９】
第３の情報処理装置は、例えば、電源供給システム内の電源供給制御装置により構成される。他の情報処理装置は、例えば、EV/HEVに搭載される充電用ECUにより構成される。
【００４０】
これにより、他の情報処理装置の使用者を認証することができ、第３の情報処理装置から他の情報処理装置への不正な充電を防止することができる。
【００４１】
本発明の一側面の第４の情報処理装置は、自分自身を使用する使用者を一意に特定する特定情報が、電力を提供可能な他の情報処理装置から送信されてきた場合、特定情報を受信し、特定情報が登録済みの場合には認証に成功したとして、そのことを示す認証成功通知を他の情報処理装置に送信し、認証成功通知を受信した他の情報処理装置により電力が供給されてきたとき、その電力を用いて所定の処理を実行し、特定情報が未登録の場合には認証に失敗したとして、そのことを示す認証失敗通知を他の情報処理装置に送信する。
【００４２】
本発明の一側面の第４情報処理装置においては、自分自身を使用する使用者を一意に特定する特定情報が、電力を提供可能な他の情報処理装置から送信されてきた場合、特定情報が受信され、特定情報が登録済みの場合には認証に成功したとして、そのことを示す認証成功通知が他の情報処理装置に送信され、認証成功通知を受信した他の情報処理装置により電力が供給されてきたとき、その電力を用いて所定の処理が実行され、特定情報が未登録の場合には認証に失敗したとして、そのことを示す認証失敗通知が他の情報処理装置に送信される。
【００４３】
第４の情報処理装置は、例えば、EV/HEVに搭載される充電用ECUにより構成される。他の情報処理装置は、例えば、電源供給システム内の電源供給制御装置により構成される。
【００４４】
これにより、第４の情報処理装置の使用者が認証されることができ、他の情報処理装置から第４の情報処理装置への不正な充電を防止することができる。
【発明の効果】
【００４５】
本発明の一側面によれば、盗電を防止することができるようにするものである。さらに、EV/HEVが充電を行う場合に、充電を行うことを許可された電源供給システムであれば、EV/HEVに対し、複数の電源供給システムからの充電も可能になる。
【図面の簡単な説明】
【００４６】
【図１】本発明が適用される情報処理システムの構成例を示すブロック図である。
【図２】登録許可信号出力装置３の一例を説明する図である。
【図３】登録許可信号出力装置３の別の一例を説明する図である。
【図４】表示部５１の表示例について説明するための図である。
【図５】本発明が適用された、電源供給システム登録認証処理の一例を説明するフローチャートである。
【図６】本発明が適用された、電源供給システム登録認証処理の一例を説明するフローチャートである。
【図７】本発明が適用された、充電ECU登録認証処理の一例を説明するフローチャートである。
【図８】EV/HEV用充電システムの動作における、電源供給システム１とEV/HEV２の相互の処理の関係の一例を説明するフローチャートである。
【図９】EV/HEV用充電システムの動作における、電源供給システム１とEV/HEV２の相互の処理の関係の一例を説明するフローチャートである。
【図１０】電源供給システム登録認証処理において、表示部５１に表示される、システム登録結果やシステム認証結果等の表示の一例を示した図である。
【図１１】電源供給システム登録認証処理において、表示部５１に表示される、システム登録結果やシステム認証結果等の表示の一例を示した図である。
【図１２】EV/HEV２における状態提示装置２７の一例について説明するための図である。
【図１３】EV/HEV２における状態提示装置２７の別の一例について説明するための図である。
【図１４】本発明が適用された、電源供給システム使用者認証処理の一例を説明するフローチャートである。
【図１５】本発明が適用された、充電用ECU使用者認証処理の一例を説明するフローチャートである。
【図１６】使用者認証EV/HEV用充電システムの動作における、電源供給システム１とEV/HEV２の相互の処理の関係の一例を説明するフローチャートである。
【図１７】使用者認証データを入力する手法の一例について説明するための図である。
【図１８】使用者認証データを入力する別の手法の一例について説明するための図である。
【図１９】本発明が適用された、電源供給システム相互登録認証処理の一例を説明するフローチャートである。
【図２０】本発明が適用された、電源供給システム相互登録認証処理の一例を説明するフローチャートである。
【図２１】本発明が適用された、充電用ECU相互登録認証処理の一例を説明するフローチャートである。
【図２２】相互登録認証EV/HEV用充電システムの動作における、電源供給システム１とEV/HEV２の相互の処理の関係の一例を説明するフローチャートである。
【図２３】相互登録認証EV/HEV用充電システムの動作における、電源供給システム１とEV/HEV２の相互の処理の関係の一例を説明するフローチャートである。
【図２４】本発明が適用される情報処理システムを制御するコンピュータの構成例を示すブロック図である。
【発明を実施するための形態】
【００４７】
本発明が適用される情報処理システムの第１の実施形態を説明する。
【００４８】
図１は、本発明を適用した情報処理システムの第１の実施の形態としてのEV/HEV用充電システムの構成例を示すブロック図である。
【００４９】
図１の例のEV/HEV用充電システムは、電源供給システム１、EV/HEV２、及び登録許可信号出力装置３を含むように構成されている。なお、EV/HEV２の充電の前には、EV/HEV使用者が、電線４を電源供給システム１とEV/HEV２とに接続するとする。
【００５０】
電源供給システム１は、例えば、電源供給施設に設置される。電源供給施設としては、例えば、商業施設、オフィス、一般家庭等が存在する。即ち、電源供給システム１は、図１の例では１セットしか図示されていないが、後述するように、実際には、商業施設、オフィス、一般家庭等の様々な場所に存在する複数の電源供給施設毎に１セット以上ずつ配置されることになる。
【００５１】
EV/HEV２は、電源供給システム１から電線４を介して供給された電力により、充電を行う。
【００５２】
本実施の形態では、EV/HEV２が、電源供給システム１を登録する。換言すると、電源供給システム１は、EV/HEV２に登録されることを許可したり、拒否したりすることができる。よって、EV/HEV２は、電源供給システム１を登録することについて、その許可を電源供給システム１から得なければならない。
【００５３】
本実施の形態においては、電源供給システム１の登録に対する許可を求める信号（以下、登録許可信号と称する）が、登録許可信号出力装置３から電源供給システム１へ送信される。これにより、EV/HEV２に登録されることの許可が、電源供給システム１からEV/HEV２に対してなされることになる。
【００５４】
登録許可信号出力装置３は、電源供給システム１がEV/HEV２により登録されることを許可する権限を有する人（以下、電源供給システム１の登録許可者と称する）によって管理される。即ち、電源供給システム１の登録許可者が、電源供給システム１がEV/HEV２によって登録されることを許可する場合に、例えば登録許可信号出力装置３に対して所定の操作を行う。かかる所定の操作がなされると、登録許可信号出力装置３から登録許可信号が出力され、EV/HEV２が接続された電源供給システム１に対して供給される。なお、登録許可信号出力装置３の詳細については、図２，３を参照して後述する。
【００５５】
電源供給システム１は、電源供給制御装置１１、電源供給装置１２、及び、制御装置１３を含むように構成されている。
【００５６】
電源供給制御装置１１、制御装置１３、及び登録許可信号出力装置３は、ネットワーク１４を介して相互に接続している。ネットワーク１４は、例えば、専用通信線、施設内LAN（Local Area Network）、家庭内LAN、無線LAN、及び電力線通信等で構成される。ただし、ネットワーク１４の種類は特に限定されない。もちろん、電源供給制御装置１１、制御装置１３、及び登録許可信号出力装置３のうちの少なくとも２者は、ネットワーク１４を介さずに直接接続しても構わない。
【００５７】
電源供給制御装置１１はまた、電源供給装置１２と接続されている。電源供給制御装置１１はさらにまた、電線４を介してEV/HEV２と接続され得る。
【００５８】
電源供給制御装置１１は、登録認証部４１、接続スイッチ４２、及びコンセント４３を含むように構成されている。
【００５９】
登録認証部４１は、電源供給システム１とEV/HEV２とが電線４を介して接続されているか否かを認識する。
【００６０】
登録認証部４１は、登録許可信号出力装置３から送信されてきた登録許可信号を、ネットワーク１４を介して受信する。
【００６１】
登録認証部４１は、登録許可信号を受信すると、現在接続中のEV/HEV２によって電源供給システム１が登録されるために必要な情報（以下、システム登録情報と称する）を、EV/HEV２に対して電線４を介して送信する。システム登録情報は、それぞれの電源供給システム１を一意に特定できるID（Identification）を含んでいる。なお、以下、かかるIDを、システムIDと称する。即ち、電源供給システム１は、図１の例では１セットのみ図示されているが、上述の如く、実際には複数セット存在することになる。そこで、複数の電源供給システム１のそれぞれに対して、自己を一意に特定するシステムIDが付されているのである。なお、システムIDは、登録許可者が任意に設定することができる。
【００６２】
また、システム登録情報に含める情報は、システムIDに特に限定されない。例えば電源供給システム１の登録許可者や所在地等の情報（以下、システム情報と称する）をシステム登録情報に含めるようにしてもよい。
【００６３】
EV/HEV２は、例えば、現在接続中の電源供給システム１からシステム登録情報を受信すると、そのシステム登録情報に基づいて、現在接続中の電源供給システム１を登録する。そして、EV/HEV２は、登録が完了したという通知（以下、システム登録通知と称する）を、現在接続中の電源供給システム１に送信する。これにより、EV/HEV２は、現在接続中の電源供給システム１を参照して充電を行うことが可能となる。
【００６４】
例えば、登録認証部４１は、電線４を介した専用通信線４４または無線通信により、EV/HEV２に対してシステム認証情報を送信する。システム認証情報とは、電源供給システム１が、現在接続されているEV/HEV２に既に登録されている装置であることを認証するための情報である。システム認証情報もまた、システムIDを含んでいる。
【００６５】
EV/HEV２は、システム認証情報を受信すると、例えば、そのシステム認証情報に基づいて、現在接続中の電源供給システム１が既に登録済みの装置であるか否かを判定する。具体的には例えば、EV/HEV２に登録済みのシステムIDの中に、現在接続中の電源供給システム１からのシステム認証情報に含まれるシステムIDと一致するIDが存在する場合、EV/HEV２は、現在接続中の電源供給システム１が既に登録済みであると判定する。
【００６６】
なお、以下、現在接続中の電源供給システム１が既に登録済みの装置であるという判定を、認証の成功と表現する。認証の成功という結果は、認証成功通知としてEV/HEV２から、電源供給システム１の登録認証部４１に送信される。
【００６７】
これに対して、EV/HEV２に登録済みのシステムIDの中に、現在接続中の電源供給システム１からのシステム認証情報に含まれるシステムIDと一致するIDが存在しない場合がある。即ち、EV/HEV２によって、現在接続中の電源供給システム１が登録されていない場合がある。このような場合、EV/HEV２は、現在接続中の電源供給システム１が未登録であると判定する。
【００６８】
なお、以下、現在接続中の電源供給システム１が登録されている装置ではないという判定を、即ち、未登録であるという判定を、認証の失敗と表現する。認証の失敗という結果は、システム認証失敗通知としてEV/HEV２から、電源供給システム１の登録認証部４１に送信される。以下、システム認証成功通知とシステム認証失敗通知とを個々に区別する必要がない場合、それらをまとめてシステム認証結果と称する。
【００６９】
登録認証部４１は、EV/HEV２からシステム認証結果を受信すると、そのシステム認証結果を、ネットワーク１４を介して制御装置１３に送信する。制御装置１３は、システム認証結果に基づき、接続スイッチ４２を制御する。
【００７０】
接続スイッチ４２は、制御装置１３の制御の下、電源供給装置１２と電線４（EV/HEV2２）との接続状態（以下、接続スイッチ４２の状態と称する）をON状態またはOFF状態に切り替える。
【００７１】
具体的には例えば、制御装置１３は、システム認証成功通知を受信した場合には、接続スイッチ４２の状態をON状態に切り替える制御を行う。接続スイッチ４２の状態がON状態になると、電源供給装置１２からEV/HEV２に電力が供給される。即ち、電源供給システム１は、EV/HEV２への充電を開始することができる。
【００７２】
これに対して例えば、制御装置１３は、システム認証失敗通知を受信した場合には、接続スイッチ４２の状態をOFF状態に切り替える制御を行う。接続スイッチ４２の状態がOFF状態になると、電源供給装置１２からEV/HEV２への電力の供給が禁止される。即ち、電源供給システム１は、接続スイッチ４２の状態をOFF状態にすることで、EV/HEV２への充電を禁止することができる。換言すると、電源供給システム１は、自身の登録がなされていないEV/HEV２、即ち登録許可者が充電を許可していないEV/HEV２に対して、充電を禁止することができる。よって、盗電を防止することが可能となる。
【００７３】
コンセント４３は、電源供給システム１に対して、電線４を接続するための接続口である。
【００７４】
電源供給装置１２は、例えば一般的な家庭用電源と同様の交流１００Vで、電力を供給する。上述の如く、接続スイッチ４２の状態がON状態の場合、電源供給装置１２からの電力は、電源供給制御装置１１及び電線４を介してEV/HEV２に供給されている。
【００７５】
制御装置１３は、上述したように、ネットワーク１４を介して、電源供給制御装置１１の充電開始や充電停止の制御を行う。即ち、制御装置１３は、上述した接続スイッチ４２の状態の切り替え制御を行う。
【００７６】
また例えば、制御装置１３は、電源供給システム１のシステムIDを設定する。上述したように、システムIDは登録許可者が任意に設定することが可能である。なお、システムIDの設定は、表示部５１により行うことができる。その詳細については、図４を参照して後述する。
【００７７】
また例えば、制御装置１３は、現在接続中のEV/HEV２の各種情報を表示部５１に表示させる。表示部５１についての詳細は、図４を参照して後述する。
【００７８】
また例えば、制御装置１３は、図１９乃至２３を参照して後述する相互登録認証EV/HEV用充電システムにおける処理を行う場合、電源供給システム１に登録されているEV/HEV２の情報（以下、EV/HEV登録情報と称する）を管理する。EV/HEV登録情報は、例えば、登録しているEV/HEV２を一意に特定できる番号（以下、EV/HEV番号と称する）や、EV/HEV２を一意に特定できるID（以下、EV/HEV IDと称する）等を含んでいる。
【００７９】
EV/HEV２は、バッテリ２２を動力源とする電動車両である。EV/HEV２のバッテリ２２の充電手法としては、急速充電手法と称される種類と、通常充電手法と称される種類の２種類の手法が適用されている。急速充電手法とは、EV/HEV２のバッテリ２２を図示せぬ急速充電装置に接続し、短時間で充電を行う充電手法をいう。また、通常充電手法とは、電線４を介して、EV/HEV２の充電用ECU２１をコンセント４３に接続し、接続したコンセント４３の先にある電源供給装置１２から供給される電力を用いて、充電用ECU２１がバッテリ２２の充電を行う充電手法をいう。なお、EV/HEV２のバッテリ２２の充電手法は、通常充電手法を含めば足り、その種類や個数等は特に限定されない。
【００８０】
EV/HEV２は、上述のバッテリ２２と充電用ECU２１の他、インバータ２３、モータ２４、DC（Direct Current）/DCコンバータ２５（以下、DCDC２５と称する）、ECU２６、及び状態提示装置２７を含むように構成される。
【００８１】
充電用ECU２１は、EV/HEV２と電源供給システム１とが電線４を介して接続されているか否かを判定する。
【００８２】
例えば、充電用ECU２１は、上述の如く、電源供給システム１からシステム登録情報を受信した場合、システム登録情報に基づいて、電源供給システム１の登録を行う。登録が完了した場合、充電用ECU２１は、上述の如く、システム登録通知を電源供給システム１に送信する。
【００８３】
また例えば、上述の如く、充電用ECU２１は、接続中の電源供給システム１からシステム認証情報を受信した場合、受信したシステム認証情報に基づいて、電源供給システム１の認証を行う。認証が成功した場合、上述の如く、充電用ECU２１は、システム認証成功通知を電源供給システム１に送信する。これに対して、認証が失敗した場合、充電用ECU２１は、システム認証失敗通知を電源供給システム１に送信する。
【００８４】
また例えば、充電用ECU２１は、図１９乃至２３を参照して後述する相互登録認証EV/HEV用充電システムにおける処理を行う場合、EV/HEV２を電源供給システム１に登録するための情報であるEV/HEV登録情報を管理する。
【００８５】
このようにして、充電用ECU２１により電源供給システム１が登録または認証されると、電源供給システム１からの電力は、電線４と充電用ECU２１を介してバッテリ２２に提供される。提供された電力に基づき発生するバッテリ２２の直流電圧は、インバータ２３により交流電圧に変換され、EV/HEV２の走行を駆動するモータ２４に印加される。また、バッテリ２２の直流電圧は、DC/DC２５により、所定の電圧レベルの直流電圧に変換され、ECU２６などの直流電力で駆動される車載部品に印加される。
【００８６】
状態提示装置２７は、例えば、EV/HEV２の充電状態や、後述する電源供給システム１の登録状態や認証状態を表示する。状態提示装置２７の詳細については、図１２，図１３を参照して後述する。
【００８７】
以上、EV/HEV用充電システムのうち、電源供給システム１とEV/HEV２について説明した。次に、登録許可信号出力装置３について説明する。
【００８８】
図２は、登録許可信号出力装置３について説明するための図である。
【００８９】
図２のＡは、登録許可信号出力装置３が、電源供給制御装置１１の筺体面上等に直接配置されている例を示している。
【００９０】
図２のＡの例では、原則として、電源供給システム１は電源供給施設内に設定されている。原則と記述したのは、図２のＡに示されるように、電源供給システム１の電源供給制御装置１１の構成要素のうち、コンセント４３は、電源供給施設外に配置されているからである。
【００９１】
このように、電源供給施設外にコンセント４３が配置されているので、登録許可者により管理が必要な登録許可信号出力装置３は、図２のＡに示されるように、電源供給施設内の電源供給制御装置１１の筺体面上等に直接配置されているのである。登録許可信号出力装置３には、登録釦６１が設けられている。即ち、電源供給施設内には、EV/HEV使用者等の一般の者は入ることができず、入ることが許可された者、例えば、登録許可者のみが入ることができるとする。このことは、後述する他の例でも同様であるとする。この場合、登録釦６１は、電源供給施設内に入ることが許可された者、例えば、登録許可者により押下される。登録釦６１が押下されると、登録許可信号出力装置３は、電源供給システム１に対し、登録許可信号を出力する。
【００９２】
図２のＢは、登録許可信号出力装置３が、例えばEV/HEV２の鍵としての機能を持つ、リモートコントローラとして構成されている例を示している。リモートコントローラとしての登録許可信号出力装置３にもまた、登録釦６１が設けられている。このリモートコントローラは、例えば登録許可者により保有される。登録許可者により登録釦６１が押下されると、登録許可信号出力装置３は、電源供給システム１に対し、登録許可信号を無線通信により出力する。
【００９３】
なお、登録許可信号出力装置３の形態は、図２のＡの例や、図２のＢのリモートコントローラの例に限らず、例えば携帯端末機器や非接触IDカード等の形態を取ることができる。
【００９４】
図３は、電源供給施設内にある他の機器に、登録許可信号出力装置３が配置された場合の例を示している。
【００９５】
なお、図３の例では、他の機器の例として、制御装置１３が採用されている。制御装置１３は、上述したように、電源供給制御装置１１と接続されている。なお、図３に示される制御装置１３−１は、制御装置１３の例であって、電源供給制御装置１１専用の制御装置である。また、図３に示される制御装置１３−２は、制御装置１３の別の例として、汎用の制御装置（例えば、パーソナルコンピュータ）である。
【００９６】
例えば、登録許可信号出力装置３は、制御装置１３-１と１３-２のうちのいずれか一方またはその両方に配置される。また例えば、登録許可信号出力装置３の登録釦６１は、制御装置１３-１または１３-２の筺体表面にハードウエア釦として配置されるか、または、表示部５１に、ソフトウェアスイッチとして配置される。登録釦６１がソフトウェアスイッチとして構成される場合の例については、図４を参照して後述する。なお、以下、制御装置１３-１，１３-２を個々に区別する必要がない場合、それらをまとめて制御装置１３と称する。
【００９７】
このように、図３の例では、制御装置１３、即ち、登録許可信号出力装置３は、電源供給施設内に配置される。よって、この場合も、登録釦６１（図３には図示せず）は、電源供給施設内に入ることが許可された者、例えば、登録許可者により押下される。登録釦６１が押下されると、登録許可信号出力装置３は、電源供給制御装置１１に対し、登録許可信号を出力する。
【００９８】
このように、図２のＡ，Ｂ、図３のいずれの例においても、登録釦６１は、電源供給施設内にあるか、または、登録許可者が管理するリモートコントローラ等で構成されている。このため、EV/HEV使用者等の一般の者にとっては、登録許可者の許可を得ることなく、EV/HEV２による電源供給システム１の登録処理を実行させることは困難である。
【００９９】
以上、登録許可信号出力装置３について説明した。
【０１００】
次に、図１の電源供給システム１のうち、制御装置１３の表示部５１の表示内容の例について説明する。
【０１０１】
図４は、表示部５１の表示例について説明するための図である。
【０１０２】
なお、表示部５１は、例えば本実施の形態ではタッチパネル方式等の表示装置が採用されている。このため、本実施の形態では、表示部５１の画面を操作画面として用いることが可能になる。
【０１０３】
例えば図４の例では、表示部５１の表示領域内には、システムID設定表示領域７１が存在する。
【０１０４】
システムID設定表示領域７１には、システム登録情報やシステム認証情報に含まれるシステムIDを設定するためのGUI（Graphical User Interface）用の画像が表示される。即ち、システムID設定表示領域７１は、システムIDを、登録許可者が設定するための操作領域である。例えば、システムID設定表示領域７１には、図中上方の「システムID設定」というメッセージ表示の下方に、数字表示部６３、数字入力部６２、決定釦６４、消去釦６５、登録釦６１が配置されて表示される。
【０１０５】
数字入力部６２は、０乃至９の各数字を入力する機能が割り当てられたソフトウェアスイッチである。即ち、この例では、システムIDは複数の数字の組み合わせからなり、システムIDの入力用に数字入力部６２が設けられている。
【０１０６】
数字表示部６３は、数字入力部６２により入力された数字を、例えば入力された順番で左方から順に表示する枠である。
【０１０７】
消去釦６５は、数字入力部６２により入力され、数字表示部６３に表示された数字列のうち、例えば最右方に表示された数字（直前に数字入力部６２により入力された数字）を消去する機能が割り当てられたソフトウェアスイッチである。
【０１０８】
決定釦６４は、数字入力部６２により入力され、数字表示部６３に表示された数字列を、システムIDとして設定する機能が割り当てられたソフトウェアスイッチである。
【０１０９】
なお、図３を参照して上述したように、表示部５１に登録釦６１がソフトウェアスイッチとして構成される場合には、図４に示されるように、登録釦６１が、システムID設定表示領域７１に表示される。
【０１１０】
システムID設定表示領域７１は、例えば次のように使用される。登録許可者が数字入力部６２を用いて、システムIDを示す任意の数字列、例えば図４の例では「４３２１」を入力する。これにより、数字表示部６３には、その数字列、例えば図４の例では「４３２１」が表示される。この状態で、登録許可者により決定釦６４が押下されると、「４３２１」がシステムIDとして設定される。さらに、登録許可者により登録釦６１が押下されると、このシステムIDである「４３２１」を含むシステム登録情報が生成され、EV/HEV２に送信される。
【０１１１】
また例えば、表示部５１の表示領域内には、EV/HEV登録情報を表示する、EV/HEV登録情報表示領域７２が存在する。
【０１１２】
なお、EV/HEV登録情報表示領域７２は、図１９乃至２３を参照して後述する、相互登録認証EV/HEV充電システムの処理を行う場合に必要となる表示領域である。詳細については後述するが、相互登録認証EV/HEV充電システムとは、EV/HEV２が電源供給システム１を登録、または認証するだけでなく、電源供給システム１がEV/HEV２を登録、または認証するシステムである。換言すると、EV/HEV登録情報表示領域７２は、EV/HEV２が電源供給システム１を認証するのみ場合においては、表示される必要はない。
【０１１３】
EV/HEV登録情報表示領域７２には、EV/HEV登録情報の確認や、EV/HEV登録情報を消去するためのGUI用の画像が表示される。即ち、EV/HEV登録情報表示領域７２は、EV/HEV登録情報の確認や、EV/HEV登録情報を消去するための操作領域である。例えば、EV/HEV登録情報表示領域７２には、図中情報の「EV/HEV登録情報」というメッセージ表示の下方に、EV/HEV情報表示部６６、登録消去釦６７が配置されて表示される。
【０１１４】
EV/HEV情報表示部６６には、登録しているEV/HEV２のEV/HEV番号や、EV/HEV IDが表示される。また、EV/HEV情報表示部６６は、EV/HEV登録情報を指定する機能が割り当てられたソフトウェアスイッチである。EV/HEV２なお、EV/HEV登録情報は、上述したように、制御装置１３により管理されている。
【０１１５】
登録消去釦６７は、EV/HEV情報表示部６６により指定されたEV/HEV登録情報を消去する機能が割り当てられたソフトウェアスイッチである。
【０１１６】
また例えば、表示部５１の表示領域内には、電線４を介して現在接続中のEV/HEV２の情報（以下、接続EV/HEV情報と称する）を表示する、接続EV/HEV情報表示領域７３が存在する。
【０１１７】
接続EV/HEV情報表示領域７３には、接続EV/HEV情報として例えば、EV/HEV番号、EV/HEV使用者、EV/HEV２の充電状態、及びバッテリ２２の、現在の充電率等が表示される。
【０１１８】
また例えば、表示部５１の表示領域内には、現在接続中のEV/HEV２に登録されている電源供給システム１のシステム登録情報を表示する、電源供給システム登録情報表示領域７４が存在する。
【０１１９】
電源供給システム登録情報表示領域７４には、システム登録情報として例えば、システムIDが表示される。
【０１２０】
また例えば、表示部５１の表示領域内には、電源供給システム１とEV/HEV２とが、電線４を介して接続されているか否か（以下、電線接続状態と称する）を表示する、電線接続状態表示領域７５が存在する。
【０１２１】
電源接続状態表示領域７５には、現在、電源供給制御装置１１とEV/HEV２とが、電線４を介して接続されている場合、例えば「現在の電線接続状態：接続中」と表示される。これに対して、電源供給制御装置１１とEV/HEV２とが、電線４を介して接続されていない場合、電線接続状態表示領域７５には、例えば「現在の電線接続状態：未接続」と表示される。
【０１２２】
また例えば、表示部５１の表示領域内には、充電開始釦７６や充電停止釦７７が配置されて表示される。
【０１２３】
充電開始釦７６は、接続中のEV/HEV２に対して、充電を開始する機能が割り当てられたソフトウェアスイッチである。
【０１２４】
例えば、充電開始釦７６は、次のように使用される。登録許可者により充電開始釦７６が押下されると、制御装置１３は、接続スイッチ４２をON状態にする制御を行う。なお、登録許可者により充電開始釦７６が押下されなくても、次の場合においては、制御装置１３は接続スイッチ４２をON状態にする制御を行うことも可能である。即ち、上述したように、EV/HEV２から通知されたシステム認証結果またはシステム登録結果が、システム認証成功通知またはシステム登録通知であった場合、制御装置１３は、接続スイッチ４２を自動的にON状態にする制御を行う。
【０１２５】
充電停止釦７７は、接続中のEV/HEV２への充電を停止する機能が割り当てられたソフトウェアスイッチである。充電停止釦７７が登録許可者により押下されると、制御装置１３は、接続スイッチ４２をOFF状態にする制御を行う。
【０１２６】
次に、図５乃至図９のフローチャートを参照して、図１のEV/HEV用充電システム、即ち本発明が適用されるEV/HEV用充電システムの動作の一例について説明する。
【０１２７】
図５，図６は、本発明が適用されるEV/HEV用充電システムの動作のうち、電源供給システム１が、EV/HEV２の充電用ECU２１に登録または認証され、充電を開始するまでの一連の処理（以下、電源供給システム登録認証処理と称する）の一例を説明するフローチャートである。
【０１２８】
図７は、本発明が適用されるEV/HEV用充電システムの動作のうち、EV/HEV２の充電用ECU２１が、電源供給システム１を登録または認証するまでの一連の処理（以下、充電用ECU登録認証処理と称する）の一例を説明するフローチャートである。
【０１２９】
即ち、図７の充電用ECU登録認証処理とは、図５や図６の電源供給システム１側の電源供給システム登録認証処理に対して、EV/HEV２側で実行される処理である。
【０１３０】
図８、図９は、これら電源供給システム１とEV/HEV２の相互の処理の関係の一例を説明するフローチャートである。
【０１３１】
以下、図５，図６，及び図７を参照して、電源供給システム１による電源供給システム登録認証処理と、EV/HEV２の充電用ECU２１による充電用ECU登録認証処理とについて、その順番に個別に説明する。
【０１３２】
電源供給システム１とEV/HEV２の相互の処理関係は、図８、図９の対応するステップを参照することで理解することが可能である。
【０１３３】
なお、図８は、充電用ECU２１が電源供給システム１を認証する処理を行い、その結果認証が成功して充電を開始するまでの処理を説明するための図である。また、図９は、充電用ECU２１が電源供給制御システム１を認証する処理を行い、その結果、認証が失敗し、登録する処理を行った後に充電を開始するまでの処理を説明するための図である。
【０１３４】
図５の電源供給システム登録認証処理のステップＳ１において、図１の登録認証部４１は、EV/HEVと接続されているか否かを判定する。
【０１３５】
電源供給制御装置１１とEV/HEV２とが電線４を介して接続されない限り、ステップＳ１においてＮＯであると判定されて、処理はステップＳ１に戻され、それ以降の処理が繰り返される。即ち、ステップＳ１の判定処理が繰り返し実行され、電源供給システム登録認証処理が待機状態となる。
【０１３６】
その後、電源供給制御装置１１が電線４を介してEV/HEV２と接続されると、ステップＳ１においてＹＥＳであると判定されて、処理はステップＳ２に進む。
【０１３７】
ステップＳ２において、登録認証部４１は、EV/HEV２に対して、システム認証情報を送信する。
【０１３８】
ステップＳ３において、登録認証部４１は、EV/HEV２からシステム認証結果を受信したか否かを判定する。
【０１３９】
後述するように、EV/HEV２においては、システム認証情報が受信されると、電源供給システム１の認証が行われる（後述する図７のステップＳ２２乃至Ｓ２９参照）。従って、認証が行われている間、そのシステム認証結果はまだ送信されてこないので、このような場合、ステップＳ３においてＮＯであると判定され、処理はステップＳ４に進む。
【０１４０】
ステップＳ４において、登録認証部４１は、一定時間以上経過したか否かを判定する。
【０１４１】
一定時間以上経過しない限り、ステップＳ４においてＮＯであると判定されて、処理はステップＳ３に戻され、それ以降の処理が繰り返される。即ち、一定時間が経過するまでは、システム認証結果が受信されない限り、ステップＳ３ＮＯ，Ｓ４ＮＯのループ処理が繰り返される。
【０１４２】
一定時間が経過する前に、EV/HEV２からシステム認証結果が送信されてきた場合（後述する図７のステップＳ２５またはＳ２９参照）、登録認証部４１は、そのシステム認証結果を受信して、ステップＳ３においてＹＥＳであると判定して、処理をステップＳ６に進める。ただし、ステップＳ６以降の一連の処理については後述する。
【０１４３】
これに対して、一定時間以上経過しても、EV/HEV２からシステム認証結果が送信されてこない場合、何らかの通信トラブルが発生したと予想される。よって、このような場合、ステップＳ４においてＹＥＳであると判定され、処理はステップＳ５に進む。
【０１４４】
ステップＳ５において、登録認証部４１は、通信トラブルが発生したことの通知（以下、通信エラー通知と称する）をEV/HEV２に送信する。通信エラー通知はまた、制御装置１３にも送信される。
制御装置１３は、通信エラー通知を受信すると、通信エラーを知らせるメッセージを表示部５１に表示させる。これにより、EV/HEV使用者や登録許可者等は、通信エラーが発生したことを認識することができる。
【０１４５】
以上、登録認証部４１が、EV/HEV２からシステム認証結果を受信していない場合の一連の処理、即ちステップＳ３の処理においてＮＯであると判定され、処理がステップＳ４に進んだ後の一連の処理について説明した。そこで、以下、登録認証部４１が、EV/HEV２からシステム認証結果を受信した場合のそれ以降の処理、即ちステップＳ３の処理においてＹＥＳであると判定され、処理がステップＳ６に進んだ後の一連の処理について説明する。
【０１４６】
ステップＳ６において、登録認証部４１は、EV/HEV２から受信したシステム認証結果が、システム認証成功通知であったか否かを判定する。
【０１４７】
システム認証結果がシステム認証成功通知であった場合、ステップＳ６においてＹＥＳであると判定されて、処理は図６のステップＳ１１に進む。ただし、ステップＳ１１以降の一連の処理については後述する。
【０１４８】
これに対し、システム認証結果がシステム認証失敗通知であった場合、ステップＳ６においてＮＯであると判定されて、処理はステップＳ７に進む。
【０１４９】
ステップＳ７において、登録認証部４１は、システム認証失敗通知を制御装置１３に送信する。制御装置１３は、通信エラー通知を受信すると、通信エラーを知らせるメッセージを表示部５１に表示させる。これにより、登録許可者等は、電源供給システム１が、現在接続中のEV/HEV２に登録されていないということを認識することができる。
【０１５０】
図６のステップＳ８において、登録認証部４１は、登録許可信号出力装置３から、登録許可信号を受信したか否かを判定する。登録許可信号は、上述したように充電を所望するEV/HEV使用者が、登録許可者に、EV/HEV２に対する電源供給制御システム１の登録を要求し、登録許可者の許可を得た場合に登録許可信号出力装置３から送信される信号である。登録の要求は、例えばEV/HEV２の状態提示装置２７から行うことが可能である（図９のステップＳ４１参照）。
【０１５１】
また例えば、EV/HEV２に対する電源供給システム１の登録の要求は、充電を所望するEV/HEV使用者が、登録許可者に直接依頼することにより行うことも可能である。具体的には例えば、充電を所望するEV/HEV２の車両使用者が、登録許可者に口頭または文書等で依頼を行う。
【０１５２】
このようにして、登録の要求を受けた登録許可者が、EV/HEV２への充電を許可した場合、登録許可信号出力装置３から登録許可信号が出力される（図９のステップＳ４２参照）。
【０１５３】
登録認証部４１が、登録許可信号出力装置３から登録許可信号を受信していない場合、ステップＳ８においてＮＯであると判定されて、処理はステップＳ１３に進む。ただし、ステップＳ１３以降の一連の処理については後述する。
【０１５４】
これに対して、登録認証部４１が、登録許可信号出力装置３から登録許可信号を受信した場合、ステップＳ８においてＹＥＳであると判定されて、処理はステップＳ９に進む。
【０１５５】
ステップＳ９において、登録認証部４１は、EV/HEV２に対し、システム登録情報を送信する。
【０１５６】
後述するように、EV/HEV２においては、システム登録情報を受信すると、電源供給システム１の登録が行われる（後述する図７のステップＳ２２乃至Ｓ２４参照）。EV/HEV２は、電源供給システム１の登録を完了すると、システム登録通知を電源供給システム１へ送信する（後述する図７のステップＳ２５参照）。
【０１５７】
ステップＳ１０において、登録認証部４１は、EV/HEV２からシステム登録通知を受信したか否かを判定する。
【０１５８】
登録認証部４１が、EV/HEV２からシステム登録通知を受信していない場合、処理はステップＳ１４に進む。
【０１５９】
ステップＳ１４において、登録認証部４１は、一定時間以上経過したか否かを判定する。
【０１６０】
一定時間以上経過しない限り、ステップＳ１４においてＮＯであると判定されて、処理はステップＳ１０に戻され、それ以降の処理が繰り返される。即ち、一定時間が経過するまでは、システム登録通知が受信されない限り、ステップＳ１０ＮＯ，Ｓ１４ＮＯのループ処理が繰り返される。
【０１６１】
一定時間以上経過しても、EV/HEV２からシステム登録通知が送信されてこない場合、何らかの通信トラブルが発生したと予想される。よって、このような場合、ステップＳ１４においてＹＥＳであると判定され、処理はステップＳ５に進み、それ以降の一連の処理が行われる。
【０１６２】
これに対して、一定時間以上経過する前に、登録認証部４１が、EV/HEV２からシステム登録通知が送信されてきた場合、ステップＳ１０においてＹＥＳと判定されて、処理はステップＳ１１に進む。
【０１６３】
ステップＳ１１において、登録認証部４１は、システム登録または認証が成功したと認識する。これにより、処理はステップＳ１２に進む。ただし、ステップＳ１２以降の処理については後述する。
【０１６４】
以上、登録認証部４１が、登録許可信号出力装置３から登録許可信号を受信した場合の一連の処理、即ち、ステップＳ８においてＹＥＳであると判定され、処理がステップＳ９に進んだ後の一連の処理について説明した。そこで、以下、登録認証部４１が、登録許可信号出力装置３から登録許可信号を受信していない場合、即ちステップＳ８においてＮＯであると判定され、処理がステップＳ１３に進んだ後の一連の処理について説明する。
【０１６５】
ステップＳ１３において、登録認証部４１は、一定時間以上経過したか否かを判定する。
【０１６６】
一定時間以上経過しない限り、ステップＳ１３においてＮＯであると判定されて、処理はステップＳ８に戻され、それ以降の処理が繰り返される。即ち、一定時間が経過するまでは、登録許可信号が受信されない限り、ステップＳ８ＮＯ，Ｓ１３ＮＯのループ処理が繰り返される。
【０１６７】
これに対して、一定時間以上経過しても、登録許可信号出力装置３から登録許可信号が送信されてこない場合、登録許可者により電源供給システム１の登録が許可されなかったということ（以下、システム登録の失敗と表現する）を意味する。この場合、ステップＳ１３においてＹＥＳであると判定されて、処理はステップＳ１５に進む。
【０１６８】
ステップＳ１５において、登録認証部４１は、システム登録が失敗したと認識し、処理はステップＳ１２に進む。なお、システム登録が失敗したという認識結果を、システム登録失敗通知と称する。以下、システム登録通知と、システム登録失敗通知を個々に区別する必要がない場合、これらをまとめてシステム登録結果と称する。
【０１６９】
ステップＳ１２において、登録認証部４１は、制御装置１３に、システム登録結果またはシステム認証結果を送信する。制御装置１３は、受信したシステム登録結果またはシステム認証結果を表示部５１に表示させる。具体的には、ステップＳ１０の処理においてＹＥＳと判定され、ステップＳ１１に進んだ後のステップＳ１２の処理においては、制御装置１３は、システム登録通知を表示部５１に表示させる。これに対し、ステップＳ６の処理においてＹＥＳと判定され、ステップＳ１１に進んだ後のステップＳ１２の処理においては、制御装置１３は、システム認証成功通知を表示部５１に表示させる。また、ステップＳ１５の後のステップＳ１２の処理においては、制御装置１３は、システム登録失敗通知を表示部５１に表示させる。
【０１７０】
制御装置１３は、受信したシステム登録結果またはシステム認証結果が、システム登録通知またはシステム認証成功通知であった場合、接続スイッチ４２の状態をON状態にする制御を行う。これに対し、制御装置１３は、受信したシステム登録結果またはシステム認証結果が、システム登録失敗通知であった場合、接続スイッチ４２の状態をOFF状態にする制御を行う。
【０１７１】
このようにして、ステップＳ１２の処理が終了すると、電源供給システム登録認証処理全体も終了となる。
【０１７２】
以上、図５及び図６を参照して、電源供給システム１による電源供給システム登録認証処理について説明した。次に、図７を参照して、EV/HEV２の充電用ECU２１による充電用ECU登録認証処理について説明する。
【０１７３】
図７の充電用ECU登録認証処理のステップＳ２１において、図１の充電用ECU２１は、電源供給システム１と接続されているか否かを判定する。
【０１７４】
充電用ECU２１と電源供給システム１とが電線４を介して接続されない限り、ステップＳ２１においてＮＯであると判定されて、処理はステップＳ２１に戻され、それ以降の処理が繰り返される。即ち、ステップＳ２１の判定処理が繰り返し実行され、充電用ECU登録認証処理が待機状態となる。
【０１７５】
その後、充電用ECU２１と電源供給システム１とが電線４を介して接続されると、ステップＳ２１においてＹＥＳであると判定されて、処理はステップＳ２２に進む。
【０１７６】
ステップＳ２２において、充電用ECU２１は、電源供給システム１からシステム認証情報またはシステム登録情報を受信したか否かを判定する。
【０１７７】
上述したように、図５のステップＳ２の処理でシステム認証情報が送信された場合、または図６のステップＳ９の処理でシステム登録情報が送信された場合、充電用ECU２１は、システム認証情報またはシステム登録情報を受信する。よって、図５のステップＳ２の処理または図６のステップＳ９の処理が実行されない限り、ステップＳ２２においてＮＯであると判定されて、処理はステップＳ２７に進む。
【０１７８】
ステップＳ２７において、充電用ECU２１は、一定時間以上経過したか否かを判定する。
【０１７９】
一定時間以上経過しない限り、ステップＳ２７においてＮＯであると判定されて、処理はステップＳ２２に戻され、それ以降の処理が繰り返される。即ち、一定時間が経過するまでは、システム認証情報またはシステム登録情報が受信されない限り、ステップＳ２７ＮＯ，Ｓ２２ＮＯのループ処理が繰り返される。
【０１８０】
一定時間以上経過しても、電源供給システム１からシステム認証情報またはシステム登録情報が送信されてこない場合、ステップＳ２７においてＹＥＳであると判定され、処理はステップＳ２９に進む。ステップＳ２９以降の一連の処理については後述する。
【０１８１】
これに対して、一定時間が経過する前に、図５のステップＳ２の処理または図６のステップＳ９の処理が実行された場合、ステップＳ２２においてＹＥＳであると判定されて、処理はステップＳ２３に進む。即ち、この場合、電源供給システム１からシステム認証情報またはシステム登録情報が送信されてくるので、充電用ECU２１は、そのシステム認証情報またはシステム登録情報を受信する。これにより、処理はステップＳ２３に進む。
【０１８２】
ステップＳ２３において、充電用ECU２１は、受信した情報が、システム登録情報であるか否かを判定する。
【０１８３】
システム登録情報が受信された場合、ステップＳ２３においてＹＥＳであると判定されて、処理はステップＳ２４に進む。
【０１８４】
ステップＳ２４において、充電用ECU２１は、例えば、システム登録情報を基に、電源供給システム１のシステムIDを登録し、処理をステップＳ２５に進める。ただし、ステップＳ２５以降の一連の処理については後述する。
【０１８５】
これに対して、システム登録情報でない情報、即ち、システム認証情報が受信された場合、ステップＳ２３においてＮＯにおいてあると判定されて、処理はステップＳ２８に進む。
【０１８６】
ステップＳ２８において、充電用ECU２１は、受信したシステム認証情報に基づき、現在接続中の電源供給システム１が、既に登録済みの電源供給システム１であるか否かを判定する。即ち、充電用ECU２１は、システム認証情報に含まれるシステムIDが、充電用ECU２１に登録されている電源供給システム１のシステムIDと一致するか否かを判定する。
【０１８７】
現在接続中の電源供給システム１が未登録であった場合、即ち、システムIDが一致しなかった場合、ステップＳ２８においてＮＯであると判定され、処理はステップＳ２９に進む。
【０１８８】
ステップＳ２９において、充電用ECU２１は、認証が失敗したとして、システム認証失敗通知を電源供給システム１に送信し、処理をステップＳ２６に進める。ただし、ステップＳ２６以降の一連の処理については後述する。
【０１８９】
これに対して、現在接続中の電源供給システム１が登録済みの場合、即ち、システムIDが一致した場合、ステップＳ２８においてＹＥＳであると判定され、処理はステップＳ２５に進む。
【０１９０】
ステップＳ２５において、充電用ECU２１は、システム登録通知または認証成功通知を電源供給システム１に送信する。具体的には、ステップＳ２４の処理後のステップＳ２５の処理においては、充電用ECU２１は、システム登録通知を電源供給システム１に送信する。これに対して、ステップＳ２８の処理においてＹＥＳであると判定された後のステップＳ２５の処理においては、充電用ECU２１は、システム認証成功通知を電源供給システム１に送信する。
【０１９１】
ステップＳ２６において、充電用ECU２１は、システム登録通知または認証成功通知を状態提示装置２７に表示させる。具体的には、ステップＳ２４、ステップＳ２５の処理の後のステップＳ２６の処理においては、充電用ECU２１は、システム登録通知を状態提示装置２７に表示させる。これに対して、ステップＳ２８の処理においてＹＥＳであると判定され、ステップＳ２５に進んだ後のステップＳ２６の処理においては、充電用ECU２１は、システム認証成功通知を状態提示装置２７に表示させる。また、ステップＳ２９の処理の後のステップＳ２６の処理においては、充電用ECU２１は、システム認証失敗通知を状態提示装置２７に表示させる。
【０１９２】
このようにして、ステップＳ２６の処理が終了すると、充電用ECU登録認証処理全体も終了となる。
【０１９３】
図１０，図１１は、上述した電源供給システム登録認証処理において、表示部５１に表示される、システム登録結果やシステム認証結果等の表示の一例を示した図である。
【０１９４】
図１０，図１１の例では、表示部５１の表示領域内には、図４の例における表示部５１の表示領域内と同様に、システムID設定表示領域７１、接続EV/HEV情報表示領域７３、電源供給システム登録情報表示領域７４、電源接続状態表示領域７５、充電開始釦７６、充電停止釦７７が存在する。
【０１９５】
ただし、例えば図１０，図１１の例では、表示部５１の表示領域内には、図４に示されたEV/HEV登録情報表示領域７２が表示されておらず、代わりにメッセージ表示領域７８が表示される。
【０１９６】
メッセージ表示領域７８は、制御装置１３が受信した、システム登録結果やシステム認証結果、通信エラー通知等の各種情報を通知するメッセージが表示される領域である。
【０１９７】
図１０は、電源供給システム登録認証処理において登録が完了した場合（ステップＳ１０の処理においてＹＥＳと判定された後のＳ１１，Ｓ１２の処理）のメッセージ表示領域７８の表示例を示している。この場合、メッセージ表示領域７８には、例えば「登録が完了しました。充電を開始します」というメッセージが表示される。
【０１９８】
これに対し、図１１は、電源供給システム登録認証処理において登録が失敗した場合（ステップＳ１０の処理においてＮＯと判定され,Ｓ１４の処理においてＹＥＳと判定された後の，Ｓ５の処理）のメッセージ表示領域７８の表示例を示している。この場合、メッセージ表示領域７８には、例えば「登録に失敗しました。通信状態を確認してください」というメッセージが表示される。
【０１９９】
なお、この場合には、通信エラーが発生していると考えられるので、接続EV/HEV情報表示領域７３、登録電源供給システム情報表示領域７４には各種情報は表示されない。
【０２００】
以上、電源供給システム１における、表示部５１の表示について説明した。なお、表示部５１に表示されるシステム登録結果やシステム認証結果、通信エラー通知などの各種情報は、登録許可者を対象として発信される情報である。
【０２０１】
これに対し、図１２、図１３は、EV/HEV２における状態提示装置２７の例について説明するための図である。なお、状態提示装置２７に表示される情報は、EV/HEV使用者を対象として発信される情報である。
【０２０２】
上述したように、状態提示装置２７は、EV/HEV２の充電状態や、電源供給システム１の登録状態や認証状態を表示する。
【０２０３】
図１２のＡは、状態提示装置２７が、EV/HEV２のスピーカとして構成されている場合のEV/HEV２の外観の構成例を示している。
【０２０４】
例えば、充電用ECU２１は、EV/HEV２のスピーカから発せられる音の差異により、EV/HEV使用者に充電状態や登録状態、認証状態等を通知することができる。具体的には例えば、充電中に異常が発生したり、電源供給システム１の登録や認証に失敗した場合等に、スピーカはエラー音を発生する。これにより、EV/HEV使用者は、何らかの不都合が発生したことを認識することが可能となる。
【０２０５】
図１２のＢは、例えばEV/HEV２の鍵としての機能を持つ、リモートコントローラとして構成されている状態提示装置２７の外観の構成例を示している。
【０２０６】
例えば、充電用ECU２１は、リモートコントローラに音声を発生させる機能が搭載されている場合、リモートコントローラから発せられる音の差異により、EV/HEV使用者に充電状態や登録状態、認証状態等を通知することができる。また例えば、リモートコントローラにランプ等が配置されている場合、充電用ECU２１は、ランプ等の発光色や点滅等の差異で、充電状態や登録状態、認証状態等を通知することができる。
【０２０７】
図１２のＣは、携帯端末機器として構成されている状態提示装置２７の外観の構成例を示している。
【０２０８】
例えば、充電用ECU２１は、携帯端末機器の表示画面に充電状態や登録状態、認証状態等を表示させることができる。または、充電用ECU２１は、携帯端末機器に音声を発生させる機能が搭載されている場合、携帯端末機器から発せられる音の差異により、EV/HEV使用者に充電状態や登録状態、認証状態等を通知することも可能である。
【０２０９】
図１３は、状態提示装置２７が、EV/HEV２内にあるカーナビゲーションシステムの表示画面や、インストルメンタルパネルとして構成されている例を示している。
【０２１０】
図１３の例では、状態提示装置２７の表示領域内には、EV/HEV２の充電状態や登録状態、認証状態等を通知する、メッセージ表示領域８１が表示される。
【０２１１】
充電用ECU２１は、メッセージ表示領域８１に充電状態や登録状態、認証状態等を表示させることができる。図１３のメッセージ表示領域８１には、EV/HEV２が、接続中の電源供給システム１の登録を行い、電源供給システム１からEV/HEV２に対する充電が開始された場合の表示例を示している。この場合、メッセージ表示領域８１には、例えば「登録が完了しました。充電を開始します」というメッセージが表示される。
【０２１２】
図１３の例では、状態提示装置２７は、充電状態や登録状態、認証状態等を通知するだけではなく、EV/HEV２の情報や、電源供給システム１のシステム登録情報などを表示することも可能である。これらの場合の状態提示装置２７の表示領域内における表示の例について、以下に説明する。
【０２１３】
なお、状態提示装置２７は、例えば本実施の形態ではタッチパネル方式等の表示装置が採用されている。このため、本実施の形態では、状態提示装置２７の画面を操作画面として用いることが可能になる。
【０２１４】
例えば図１３の例では、状態提示装置２７の表示領域内には、EV/HEV情報を表示する、EV/HEV情報表示領域８２が存在する。
【０２１５】
EV/HEV情報表示領域８２には、EV/HEV番号や、EV/HEV ID、EV/HEV使用者、EV/HEV２の充電状態、バッテリ２２の充電率等の情報が表示される。
【０２１６】
また例えば、状態提示装置２７の表示領域内には、EV/HEV２に登録されている電源供給システム１のシステム登録情報を表示する、電源供給システム登録情報表示領域８３が存在する。
【０２１７】
電源供給システム登録情報表示領域８３には、EV/HEV使用者が、EV/HEV２に登録されている電源供給システム１のシステム登録情報（図１３の例では、システムID）を確認したり、電源供給システムの登録を解除したりするためのGUI用の画像が表示される。即ち、電源供給システム登録情報表示領域８３は、EV/HEV使用者が、電源供給システム１のシステム登録情報を確認したり、登録を解除したりするための操作領域である。例えば、電源供給システム登録情報表示領域８３には、図中上方の「電源供給システム登録情報」というメッセージ表示の下方に、システムID指定領域９１、登録消去釦９２が配置されて表示される。
【０２１８】
システムID指定領域９１は、電源供給システム１のシステムIDを指定するための機能が割り当てられたソフトウェアスイッチである。
【０２１９】
電源供給システム登録情報表示領域８３は、例えば次のように使用される。EV/HEV使用者が、システムID指定領域９１を用いて、表示されている電源供給システムのシステムIDのうち、任意のシステムID、例えば図１３の例では、「システムID：１１２２」を指定する。この状態で、EV/HEV使用者により登録消去釦９２が押下されると、「システムID：１１２２」が消去される。即ち、充電用ECU２１が、登録されている電源供給システム１のうち、システムIDが「１１２２」である電源供給システム１の登録を解除する制御を行う。
【０２２０】
また例えば、状態提示装置２７の表示領域内には、電線接続状態を表示する、電線接続状態表示領域８４が存在する。
【０２２１】
電線接続状態表示領域８４には、現在、電源供給システム１と充電用ECU２１とが、電線４を介して接続されている場合、例えば「現在の電線接続状態：接続中」と表示される。これに対して、電源供給システム１と充電用ECU２１とが、電線４を介して接続されていない場合、電線接続状態表示領域８４には、例えば「現在の電線接続状態：未接続」と表示される。
【０２２２】
また例えば、状態提示装置２７には、充電開始釦８５や充電停止釦８６が配置されて表示される。
【０２２３】
充電開始釦８５は、充電用ECU２１によるバッテリ２２の充電制御を開始させる機能が割り当てられたソフトウェアスイッチである。
【０２２４】
即ち、充電用ECU２１と電源供給システム１とが正常に接続された状態で（接続中の電源供給システム１との間で、既に登録または認証が成功し、充電を許可された状態で）、充電開始釦８５が押下されると、図示せぬ接続リレーがON状態に切り替えられて、充電用ECU２１によるバッテリ２２の充電制御が開始される。即ち、接続リレーとは、充電用ECU２１によるバッテリ２２の充電の可否を切り替えるリレーである。接続リレーがON状態になると、充電用ECU２１により制御された充電電圧、充電電流で、バッテリ２２への充電が開始される。
【０２２５】
さらに本実施の形態では、以上の機能に加えて、電源供給システム１に対して、充電を開始するよう求める機能が充電開始釦８５に割り当てられている。
【０２２６】
即ち、EV/HEV２と、接続中の電源供給システム１との間で、既に登録または認証が成功し、充電を許可された状態にあるとする。しかしながら、何らかの事由で電源供給システム１から電力の供給が開始していないか、または供給が停止している状態であって、EV/HEV使用者が充電を所望する場合に充電開始釦８５が押下される。このような場合には、充電用ECU２１は、電源供給システム１に対し、充電を開始するよう求める信号を出力する。この信号を受けて、電源供給システム１からの電力の供給が開始されると、上述の如く、図示せぬ接続リレーがON状態に切り替えられて、充電用ECU２１によるバッテリ２２の充電制御が開始される。
【０２２７】
充電停止釦８６は、充電用ECU２１によるバッテリ２２の充電制御を停止させる機能が割り当てられたソフトウェアスイッチである。
【０２２８】
充電用ECU２１によるバッテリ２２の充電制御中に充電停止釦８６が押下されると、上述した接続リレーがOFF状態に切り替えられ、充電用ECU２１によるバッテリ２２の充電制御が停止する。さらに、充電用ECU２１は、電源供給システム１に対し、充電を停止するよう求める信号を発信する。この信号を受けて、電源供給システム１からの電力の供給も停止する。
【０２２９】
また例えば、状態提示装置２７には、現在接続中の電源供給システム１のシステムIDを表示する、電源供給システムID表示領域８７が表示される。電源供給システムID表示領域８７においては、EV/HEV２と、接続中の電源供給システム１との間で、登録または認証が成功している状態においてのみ、システムIDが表示される。
【０２３０】
以上、本発明が適用される情報処理システムの第１の実施の形態について説明した。第１の実施の形態では、上述の如く、EV/HEV２が電源供給システム１を登録し、登録された電源供給システム１からのみ、EV/HEV２が充電可能となる。
【０２３１】
しかしながら、例えば特定のEV/HEV使用者が、複数のEV/HEV２を使用する場合がある。具体的には、特定のEV/HEV使用者が複数のEV/HEV２を所有している場合がある。また例えば、複数のEV/HEV２を所有している企業等において、複数のEV/HEV使用者が、企業が所有する複数のEV/HEV２の中から、それぞれ不特定のEV/HEV２を使用する場合がある。
【０２３２】
このような場合、第１の実施の形態としてのEV/HEV用充電システムにおいては、特定のEV/HEV使用者が使用する複数のEV/HEV２のそれぞれが、電源供給システム１をそれぞれ独立して個別に登録しなければならない。即ち、EV/HEV使用者にとっては、同一の電源供給システム１を重複登録しなければならないことになる。
【０２３３】
そこで、以下、このような重複登録を回避することが可能な情報処理システムについて、本発明が適用される情報処理システムの第２の実施の形態として説明する。
【０２３４】
即ち、第１の実施の形態としてのEV/HEV用充電システムにおいては、認証主体がEV/HEV２であって、認証対象が電源供給システム１であった。これに対して、第２の実施の形態としての情報処理システムにおいては、認証主体自体は第１の実施の形態と同様にEV/HEV２であるが、認証対象は第１の実施の形態とは異なりEV/HEV使用者である。そこで、以下、このような第２の実施の形態としての情報処理システムを、使用者認証EV/HEV用充電システムと称する。
【０２３５】
このような使用者認証EV/HEV用充電システムの構成は、図１に示したEV/HEV用充電システムの構成と同様の構成である。
【０２３６】
使用者認証EV/HEV用充電システムにおいては、登録許可者が、充電を所望するEV/HEV使用者に対して、EV/HEV使用者を認証するためのデータ（以下、使用者認証データと称する）をあらかじめ伝達する。使用者認証データは、例えば使用者を一意に特定できるIDである、使用者認証IDを含む。
【０２３７】
また、電源供給システム１の登録認証部４１は、EV/HEV使用者を認証するための情報（以下、使用者認証情報と称する）を、EV/HEV２に対して送信する。使用者認証情報も、使用者認証データと同様に、使用者認証IDを含む。なお、例えば、使用者認証情報には、使用者認証IDと共に、使用者認証データに対する有効期限を設定する情報を含ませることも可能である。使用者認証データに有効期限を設けることによって、EV/HEV使用者が使用するEV/HEV２に対する充電を、登録許可者が定めた任意の期間のみ、許可することができる。
【０２３８】
EV/HEV２は、電源供給システム１から受信した使用者認証情報に含まれる使用者認証IDと、EV/HEV使用者がEV/HEV２に入力した使用者認証データに含まれる使用者認証IDが一致するか否かを判定する。
【０２３９】
なお、以下、使用者認証情報に含まれる使用者認証IDと、使用者認証データに含まれる使用者認証IDが一致したという判定を、使用者認証の成功と表現する。使用者認証が成功したという結果は、使用者認証成功通知として、EV/HEV２から、電源供給システム１の登録認証部４１に送信される。
【０２４０】
これに対して、以下、使用者認証情報に含まれる使用者認証IDと、使用者認証データに含まれる使用者認証IDが一致しないという判定を、使用者認証の失敗と表現する。使用者認証が失敗したという結果は、使用者認証失敗通知として、EV/HEV２から、電源供給システム１の登録認証部４１に送信される。以下、使用者認証成功通知と使用者認証失敗通知とを個々に区別する必要がない場合、それらをまとめて使用者認証結果と称する。
【０２４１】
登録認証部４１は、EV/HEV２から使用者認証結果を受信すると、その使用者認証結果を、ネットワーク１４を介して制御装置１３に送信する。制御装置１３は、受信した使用者認証結果に基づき、接続スイッチ４２を制御する。
【０２４２】
具体的には例えば、制御装置１３は、使用者認証成功通知を受信した場合には、接続スイッチ４２の状態をON状態に切り替える制御を行う。接続スイッチ４２の状態がON状態になると、電源供給装置１２からEV/HEV２に電力が供給される。即ち、電源供給システム１は、EV/HEV２への充電を開始することができる。
【０２４３】
これに対して例えば、制御装置１３は、使用者認証失敗通知を受信した場合には、接続スイッチ４２の状態をOFF状態に切り替える制御を行う。接続スイッチ４２の状態がOFF状態になると、電源供給装置１２からEV/HEV２への電力の供給が禁止される。即ち、電源供給システム１は、接続スイッチ４２の状態をOFF状態にすることで、EV/HEV２への充電を禁止することができる。換言すると、電源供給システム１は、登録許可者が充電を許可していないEV/HEV使用者が使用するEV/HEV２に対して、充電を禁止することができる。よって、盗電を防止することが可能となる。
【０２４４】
また例えば、制御装置１３は、使用者認証結果を表示部５１に表示する。
【０２４５】
次に、図１４乃至図１６のフローチャートを参照して、本発明が適用される使用者認証EV/HEV用充電システムの動作の一例について説明する。
【０２４６】
図１４は本発明が適用される使用者認証EV/HEV用充電システムの動作のうち、次の一連の処理（以下、電源供給システム使用者認証処理と称する）の一例を説明するフローチャートである。次の一連の処理とは、電源供給システム１が、EV/HEV２に使用者認証情報を送信し、その使用者認証情報と、充電用ECU２１に入力された使用者認証データに基づいて、充電用ECU２１によりEV/HEV使用者が認証され、充電を開始するまでの処理である。
【０２４７】
図１５は、本発明が適用される使用者認証EV/HEV用充電システムの動作のうち、次の一連の処理（以下、充電用ECU使用者認証処理と称する）の一例を説明するフローチャートである。次の一連の処理とは、EV/HEV２の充電用ECU２１が、電源供給システム１から送信された使用者認証情報と、充電用ECU２１に入力された使用者認証データに基づいて、EV/HEV使用者を認証するまでの処理である。
【０２４８】
即ち、図１５の充電用ECU使用者認証処理とは、図１４の電源供給システム１側の電源供給システム使用者認証処理に対して、EV/HEV２側で実行される処理である。
【０２４９】
図１６は、これら電源供給システム１とEV/HEV２の相互の処理の関係の一例を説明するフローチャートである。
【０２５０】
以下、図１４，図１５を参照して、電源供給システム１による電源供給システム使用者認証処理と、EV/HEV２による充電用ECU使用者認証処理とについて、その順番に個別に説明する。
【０２５１】
電源供給システム１とEV/HEV２の相互の処理関係は、図１６の対応するステップを参照することで理解することが可能である。
【０２５２】
図１４の電源供給システム使用者認証処理のステップＳ５１において、図１の登録認証部４１は、EV/HEV２が、電線４を介して、電源供給制御装置１１に接続されているか否かを判定する。
【０２５３】
電源供給制御装置１１とEV/HEV２とが接続されない限り、ステップＳ５１においてＮＯであると判定されて、処理はステップＳ５１に戻され、それ以降の処理が繰り返される。即ち、ステップＳ５１の判定処理が繰り返し実行され、電源供給システム使用者認証処理が待機状態となる。
【０２５４】
その後、電源供給制御装置１１が、電線４を介して、EV/HEV２と接続されると、ステップＳ５１においてＹＥＳであると判定されて、処理はステップＳ５２に進む。
【０２５５】
ステップＳ５２において、登録認証部４１は、EV/HEV２に対して、使用者認証情報を送信する。
【０２５６】
ステップＳ５３において、登録認証部４１は、EV/HEV２から使用者認証結果を受信したか否かを判定する。
【０２５７】
後述するように、EV/HEV２においては、使用者認証情報が受信されると、EV/HEV使用者の認証が行われる（後述する図１５のステップＳ７２乃至７７参照）。従って、使用者認証が行われている間、その使用者認証結果はまだ送信されてこないので、このような場合、ステップＳ５３においてＮＯであると判定され、処理はステップＳ５６に進む。
【０２５８】
ステップＳ５６において、登録認証部４１は、一定時間以上経過したか否かを判定する。
【０２５９】
一定時間以上経過しない限り、ステップＳ５６においてＮＯであると判定されて、処理はステップＳ５３に戻され、それ以降の処理が繰り返される。即ち、一定時間が経過するまでは、使用者認証結果が受信されない限り、ステップＳ５３ＮＯ，Ｓ５６ＮＯのループ処理が繰り返される。
【０２６０】
一定時間が経過する前に、EV/HEV２から使用者認証結果が送信されてきた場合（後述する図１５のステップＳ７６またはＳ７７参照）、登録認証部４１は、ステップＳ５３においてＹＥＳであると判定して、処理をステップＳ５４に進める。ただし、ステップＳ５４以降の一連の処理については後述する。
【０２６１】
これに対して、一定時間以上経過しても、EV/HEV２から使用者認証結果が送信されてこない場合、何らかの通信トラブルが発生したと予想される。よって、このような場合、ステップＳ５６においてＹＥＳであると判定され、処理はステップＳ５８に進む。
【０２６２】
ステップＳ５８において、登録認証部４１は、EV/HEV２に、通信エラー通知を送信する。またさらに、登録認証部４１は、制御装置１３に、通信エラー通知を送信する。制御装置１３は、通信エラー通知を受信すると、表示部５１に、通信エラー通知を表示させる。このようにして、EV/HEV使用者、及び登録許可者は、通信エラーが発生したことを認識することができる。
【０２６３】
以上は、ステップＳ５３において、登録認証部４１が、EV/HEV２から使用者認証結果を受信していない場合、即ちステップＳ５３の処理においてＮＯであると判定され、処理がステップＳ５６に進んだ後の処理である。これに対し、登録認証部４１が、EV/HEV２から使用者認証結果を受信した場合、即ちステップＳ５３の処理においてＹＥＳであると判定され、ステップＳ５４に進んだ後の一連の処理について説明する。
【０２６４】
ステップＳ５４において、登録認証部４１は、EV/HEV２から受信した使用者認証結果が、使用者認証成功通知であったか否かを判定する。
【０２６５】
使用者認証結果が使用者認証成功通知であった場合、ステップＳ５４においてＹＥＳであると判定されて、処理はステップＳ５５に進む。
【０２６６】
ステップＳ５５において、登録認証部４１は、制御装置１３に使用者認証成功通知を送信し、処理は終了される。制御装置１３は、接続スイッチ４２の状態をON状態にする制御を行う。これにより、EV/HEV２は、電源供給システム１からの充電が可能となる。また、制御装置１３は、表示部５１に使用者認証成功通知を表示させる。
【０２６７】
これに対し、使用者認証結果が使用者認証失敗通知であった場合、即ち、ステップＳ５４の処理においてＮＯであると判定されて、処理はステップＳ５７に進む。
【０２６８】
ステップＳ５７において、登録認証部４１は、制御装置１３に使用者認証失敗通知を送信し、処理は終了される。制御装置１３は、接続スイッチ４２の状態をOFF状態にする制御を行う。これにより、EV/HEV２は、電源供給システム１からの充電が不可能となる。また、制御装置１３は、表示部５１に使用者認証失敗通知を表示させる。
【０２６９】
以上、図１４を参照して、電源供給システム１による電源供給システム使用者認証処理について説明した。次に、図１５を参照して、EV/HEV２の充電用ECU２１による充電用ECU使用者認証処理について説明する。
【０２７０】
図１５の充電用ECU使用者認証処理のステップＳ７１において、充電用ECU２１は、電線４によってEV/HEV２と電源供給システム１とが接続されているか否かを判定する。
【０２７１】
EV/HEV２と電源供給システム１とが接続されない限り、ステップＳ７１においてＮＯであると判定されて、処理はステップＳ７１に戻され、以降の処理が繰り返される。即ち、ステップＳ７１の判定処理が繰り返され、充電用ECU使用者認証処理が待機状態となる。
【０２７２】
充電用ECU２１が、EV/HEV２と電源供給システム１とが電線４によって接続されたと判定した場合、ステップＳ７１においてＹＥＳであると判定されて、処理はステップＳ７２に進む。
【０２７３】
ステップＳ７２において、充電用ECU２１は、電源供給システム１から使用者認証情報を受信したか否かを判定する。
【０２７４】
上述したように、図１４のステップＳ５２において認証情報が送信された場合、充電用ECU２１は、使用者認証情報を受信する。電源供給システム１から使用者認証情報を受信しない限り、ステップＳ７２においてＮＯであると判定されて、処理はステップＳ７２に戻され、以降の処理が繰り返される。
【０２７５】
充電用ECU２１が、電源供給システム１から使用者認証情報を受信した場合、ステップＳ７２においてＹＥＳであると判定されて、処理はステップＳ７３に進む。
【０２７６】
ステップＳ７３において、充電用ECU２１は、使用者認証データが入力されたか否かを判定する。
【０２７７】
なお、使用者認証データは、上述したように、あらかじめ登録許可者が充電を許可したEV/HEV使用者に対して伝達されている。例えば、伝達の手法としては、登録許可者がEV/HEV２に対して使用者認証データを送信し、その使用者認証データが状態提示表示２７に表示される（図１６のステップＳ８１参照）。よって、EV/HEV使用者は、例えば状態提示装置２７を用いて、伝達された使用者認証データを入力する（図１６のステップＳ８２参照）。状態提示装置２７を用いて使用者認証データを入力する手法の例については、図１７を参照して後述する。
【０２７８】
使用者認証データが状態提示装置２７に入力された場合、ステップＳ７３においてＹＥＳであると判定されて、処理はステップＳ７４に進む。ただし、ステップＳ７４以降の一連の処理については後述する。
【０２７９】
これに対し、使用者認証データが状態提示装置２７に入力されていない場合、ステップＳ７３においてＮＯであると判定されて、処理はステップＳ７５に進む。
【０２８０】
ステップＳ７５において、充電用ECU２１は、一定時間以上経過したか否かを判定する。
【０２８１】
一定時間以上経過しない限り、ステップＳ７５においてＮＯであると判定されて、処理はステップＳ７３に戻され、それ以降の処理が繰り返される。即ち、一定時間が経過するまでは、使用者認証データが入力されない限り、ステップＳ７３ＮＯ，Ｓ７５ＮＯのループ処理が繰り返される。
【０２８２】
一定時間以上経過しても、状態提示装置２７に使用者認証データが入力されない場合、ステップＳ７５においてＹＥＳであると判定され、処理はステップＳ７７に進む。なお、このような場合は、EV/HEV使用者が、使用者認証データを取得していない（あらかじめ登録許可者によりEV/HEV使用者に対して使用者認証データが伝達されていない）ことを意味する。換言すると、登録許可者が充電を許可していないEV/HEV使用者が充電を要求している、即ち、EV/HEV使用者が盗電しようとしている恐れがある。よって、充電用ECU２１は、ステップＳ７５においてＹＥＳであると判定された場合、使用者認証が失敗したと認識する。
【０２８３】
ステップＳ７７において、充電用ECU２１は、使用者認証失敗通知を、状態提示装置２７及び電源供給システム１に送信し、処理はステップＳ７８に進む。ステップＳ７８以降の処理については、後述する。
【０２８４】
以上は、ステップＳ７３において、状態提示装置２７に、使用者認証データが入力されていない場合、即ちステップＳ７３の処理において、ＮＯであると判定された場合の処理である。これに対し、状態提示装置２７に、使用者認証データが入力された場合、即ち、ステップＳ７３においてＹＥＳであると判定され、ステップＳ７４に進んだ後の処理について説明する。
【０２８５】
ステップＳ７４において、充電用ECU２１は、使用者認証IDが一致するか否かを判定する。即ち、電源供給システム１から受信した使用者認証情報に含まれる使用者認証IDと、状態提示装置２７に入力された使用者認証データに含まれる使用者認証IDが一致するか否かを判定する。
【０２８６】
充電用ECU２１が、使用者認証情報と使用者認証データに基づいて判定した結果、両者の使用者認証IDが一致しない場合、ステップＳ７４においてＮＯであると判定され、処理はステップＳ７７に進む。
これに対し、充電用ECU２１が、使用者認証情報と使用者認証データに基づいて判定した結果、両者の使用者認証IDが一致した場合、ステップＳ７４においてＹＥＳであると判定され、処理はステップＳ７６に進む。
【０２８７】
ステップＳ７６において、充電用ECU２１は、使用者認証成功通知を状態提示装置２７及び電源供給システム１に送信し、処理はステップＳ７８に進む。
【０２８８】
ステップＳ７８において、充電用ECU２１は、EV/HEV使用者に、使用者認証結果を通知する。すなわち、充電用ECU２１は、状態提示装置２７に使用者認証結果を提示させる。具体的には、ステップＳ７６の後のステップＳ７８の処理においては、充電用ECU２１は、状態提示装置２７に使用者認証成功通知を提示させる。これに対し、ステップＳ７７の後のステップＳ７８の処理においては、充電用ECU２１は、状態提示装置２７に使用者認証失敗通知を提示させる。以上で、処理は終了される。
【０２８９】
このようにして、使用者認証EV/HEV用充電システムにおいては、複数のEV/HEV２を使用するEV/HEV使用者が、それぞれのEV/HEV２すべてに対して個々に電源供給システム１を登録する必要がない。このため、より効率的にEV/HEV２への充電が可能となるという効果を奏することが可能となる。
【０２９０】
図１７は、上述した使用者認証EV/HEV用充電システムにおいて、EV/HEV使用者が、状態提示装置２７に使用者認証データを入力する手法の一例を説明するための図である。
【０２９１】
図１７に示される状態提示装置２７の表示領域内には、図１３における状態提示装置２７の表示領域内と同様に、メッセージ表示領域８１、EV/HEV情報表示領域８２、電源供給システム登録情報表示領域８３、電線接続状態表示領域８４、充電開始釦８５、充電停止釦８６、電源供給システムID表示領域８７が存在する。
【０２９２】
さらに、例えば図１７の例では、状態提示装置２７の表示領域内には、使用者認証ID入力表示領域８８が存在する。
【０２９３】
使用者認証ID入力表示領域８８には、使用者認証データに含まれる使用者認証IDを入力するためのGUI用の画像が表示される。即ち、使用者認証ID入力表示領域８８は、使用者認証IDを、EV/HEV使用者が入力するための操作領域である。例えば、使用者認証ID入力表示領域８８には、図中上方の「使用者認証ID」というメッセージ表示の下方に、数字表示部９４、数字入力部９３、決定釦９５、消去釦９６が配置されて表示される。
【０２９４】
数字入力部９３は、０乃至９の各数字を入力する機能が割り当てられたソフトウェアスイッチである。即ち、この例では、使用者認証IDは複数の数字の組み合わせからなり、使用者認証IDの入力用に数字入力部９３が設けられている。
【０２９５】
数字表示部９４は、数字入力部９３により入力された数字を、例えば入力された順番で左方から順に表示する枠である。
【０２９６】
消去釦９６は、数字入力部９３により入力され、数字表示部９４に表示された数字列のうち、例えば最右方に表示された数字（直前に数字入力部９３により入力された数字）を消去する機能が割り当てられたソフトウェアスイッチである。
【０２９７】
決定釦９５は、数字入力部９３により入力され、数字表示部９４に表示された数字列を、使用者認証IDとして決定する機能が割り当てられたソフトウェアスイッチである。
【０２９８】
使用者認証ID入力表示領域８８は、例えば次のように使用される。EV/HEV使用者が数字入力部９３を用いて、使用者認証IDを示す任意の数字列、例えば図１７の例では「０００３」を入力する。これにより、数字表示部９４には、その数字列、例えば図１７の例では「０００３」が表示される。この状態で、EV/HEV使用者により決定釦９５が押下されると、「０００３」が使用者認証IDとして決定される。充電用ECU２１は、この使用者認証IDに基づいて、充電用ECU使用者認証処理を実行する。
【０２９９】
以上、使用者認証EV/HEV用充電システムにおいて、EV/HEV使用者が、状態提示装置２７に使用者認証データを入力する手法について説明した。しかしながら、使用者認証データを入力する手法としては、図１７の例に限るものではない。
【０３００】
図１８は、使用者認証EV/HEV用充電システムにおいて、使用者認証データを入力する別の手法について説明するための図である。
【０３０１】
専用カード１０１は、登録許可者が、充電を許可するEV/HEV使用者に対して発行する使用者認証専用のカードである。例えば、EV/HEV使用者は、専用カード１０１をEV/HEV２の図示せぬ入力装置に差し込むことで、使用者認証データを入力することが可能となる。
【０３０２】
非接触ICカード１０２は、登録許可者により使用者認証データが記憶されたカードである。例えば、EV/HEV使用者は、専用カード１０１をEV/HEV２の図示せぬ入力装置に所定の距離内に近接させることで、使用者認証データを入力することが可能となる。
【０３０３】
このように、専用カード１０１または非接触ICカード１０２を用いることにより、EV/HEV使用者は、使用者認証EV/HEV用充電システムにおける使用者認証データの入力を、より容易に行うことができるようになる。換言すると、EV/HEV使用者が、使用者認証EV/HEV用充電システムにおいて、EV/HEV２に対してより効率的に充電できるようになるという効果を奏することが可能となる。
【０３０４】
以上、本発明が適用される情報処理システムの第２の実施の形態としての使用者認証EV/HEV用充電システムについて説明した。
【０３０５】
次に、本発明が適用される情報処理システムの第３の実施の形態としての、相互登録認証EV/HEV用充電システムについて説明する。
【０３０６】
相互登録認証EV/HEV用充電システムとは、EV/HEV２が電源供給システム１を登録または認証するEV/HEV用充電システムに対して、さらに電源供給システム１がEV/HEV２を登録または認証する機能を有するシステムである。
【０３０７】
このように、相互登録認証EV/HEV用充電システムは、電源供給システム１とEV/HEV２が相互に登録または認証処理を実行するので、より確実に盗電を防止することが可能となる。
【０３０８】
このような相互登録認証EV/HEV用充電システムの構成は、図１に示したEV/HEV用充電システムの構成と同様の構成である。
【０３０９】
次に、図１９乃至図２２のフローチャートを参照して、本発明が適用される相互登録認証EV/HEV用充電システムの動作の一例について説明する。
【０３１０】
図１９，図２０は、本発明が適用される相互登録認証EV/HEV用充電システムの動作のうち、次の一連の処理（以下、電源供給システム相互登録認証処理と称する）の一例を説明するフローチャートである。次の一連の処理とは、電源供給システム１の登録認証部４１が、EV/HEV２を登録または認証し、さらに、電源供給システム１がEV/HEV２の充電用ECU２１に、登録または認証され、充電を開始するまでの処理である。
【０３１１】
図２１は、本発明が適用される相互認証登録EV/HEV用充電システムの動作のうち、次の一連の処理（以下、充電用ECU相互登録認証処理と称する）の一例を説明するフローチャートである。次の一連の処理とは、EV/HEV２が、電源供給システム１に登録または認証され、さらに、EV/HEV２の充電用ECU２１が、電源供給システム１を登録または認証するまでの処理である。
【０３１２】
即ち、図２１の充電用ECU相互登録認証処理とは、図１９，図２０の電源供給システム１側の電源供給システム相互登録認証処理に対して、EV/HEV２側で実行される処理である。
【０３１３】
図２２、図２３は、これら電源供給システム１とEV/HEV２の相互の処理の関係の一例を説明するフローチャートである。
【０３１４】
以下、図１９，図２０，及び図２１を参照して、電源供給システム１による電源供給システム相互登録認証処理と、EV/HEV２の充電用ECU２１による充電用ECU相互登録認証処理とについて、その順番に個別に説明する。
【０３１５】
電源供給システム１とEV/HEV２の相互の処理関係は、図２２、図２３の対応するステップを参照することで理解することが可能である。
【０３１６】
なお、図２２は、電源供給システム１の登録認証部４１がEV/HEV２を認証する処理を行い、さらに、EV/HEV２の充電用ECU２１が電源供給システム１を認証する処理を行い、その結果相互に認証が成功して充電を開始するまでの処理を説明するための図である。また、図２３は、電源供給システム１の登録認証部４１がEV/HEV２を認証する処理を行い、その結果、認証が失敗し、登録する処理を行った後に充電を開始するまでの処理を説明するための図である。
【０３１７】
図１９，図２０の電源供給システム相互登録認証処理において、電源供給システム１の登録認証部４１が、EV/HEV２を登録または認証した後の処理、即ち、電源供給システム１がEV/HEV２の充電用ECU２１に、登録または認証され、充電を開始するまでの一連の処理は、図５，図６を参照して説明した電源供給システム登録認証処理と基本的に同様の処理となる。よって、図１９，図２０の電源供給システム相互登録認証処理の各ステップうち、図５，図６の所定ステップと対応するステップについては、その説明は簡略化または省略する。
【０３１８】
図１９の電源供給システム相互登録認証処理のステップＳ１０１の処理は、図５の電源供給システム登録認証処理のステップＳ１の処理と同様の処理である。
【０３１９】
ステップＳ１０２において、登録認証部４１は、EV/HEV２からEV/HEV認証情報を受信したか否かを判定する。
【０３２０】
後述するように、EV/HEV２においては、EV/HEV使用者が充電を所望する場合、充電用ECU２１からEV/HEV認証情報が送信される（後述する図２１のステップＳ１４２参照）。従って、EV/HEV２からEV/HEV認証情報が送信されるまでの間、ステップＳ１０２の処理においてＮＯであると判定されて、処理はステップＳ１０２に戻され、それ以降の処理が繰り返される。
【０３２１】
その後、EV/HEV２からEV/HEV認証情報が送信されてきた場合、登録認証部４１は、そのEV/HEV認証情報を受信する。このような場合、ステップＳ１０２においてＹＥＳであると判定されて、処理はステップＳ１０３に進む。
【０３２２】
ステップＳ１０３において、登録認証部４１は、受信したEV/HEV認証情報に基づいて、現在接続中のEV/HEV２が、登録済みのEV/HEV２であるか否かを判定する。即ち、登録認証部４１は、EV/HEV認証情報に含まれるEV/HEV IDが、制御装置１３に登録されているEV/HEV IDと一致するか否かを判定する。
【０３２３】
現在接続中のEV/HEV２が登録済みのEV/HEV２である場合、ステップＳ１０３においてＹＥＳであると判定され、処理はステップＳ１０４に進む。
【０３２４】
ステップＳ１０４において、登録認証部４１は、EV/HEV認証成功通知及びシステム認証情報をEV/HEV２に対して送信し、処理はステップＳ１０５に進む。
【０３２５】
なお、ステップＳ１０５乃至ステップＳ１１０の処理は、図５，図６の電源供給システム登録認証処理におけるステップＳ３乃至ステップＳ８の処理と同様の処理であるため、その説明を省略する。
【０３２６】
これに対して、現在接続中のEV/HEV２が未登録である場合、ステップＳ１０３においてＮＯであると判定され、処理はステップＳ１１１に進む。
【０３２７】
ステップＳ１１１において、登録認証部４１は、EV/HEV２に対して、EV/HEV認証失敗通知を送信する。ステップＳ１０３の処理は、電源供給システム１側における認証処理に相当している。このため、ステップＳ１０３においてＮＯであるとの判定は、EV/HEV２の認証に失敗したということを意味する。よって、登録認証部４１はEV/HEV２に対して、EV/HEV認証失敗通知を送信するのである。
【０３２８】
ステップＳ１１２において、登録認証部４１は、EV/HEV２からEV/HEV登録情報を受信したか否かを判定する。
【０３２９】
後述するように、EV/HEV２においては、EV/HEV認証失敗通知が受信された場合、充電用ECU２１からEV/HEV登録情報が送信される（後述する図２１のステップＳ１５２参照）。EV/HEV２がEV/HEV認証失敗通知を受信するということは、現在接続中のEV/HEV２が、電源供給システム１に未登録であるということである。よって、EV/HEV２は、電源供給システム１に登録されるための情報であるEV/HEV登録情報を、電源供給システム１に対して送信するのである。従って、EV/HEV２からEV/HEV登録情報が送信されるまでの間、ステップＳ１１２においてＮＯと判定されて、処理はステップＳ１１３に進む。
【０３３０】
ステップＳ１１３において、登録認証部４１は、一定時間以上経過したか否かを判定する。
【０３３１】
一定時間以上経過しない限り、ステップＳ１１３においてＮＯであると判定されて、処理はステップＳ１１２に戻され、それ以降の処理が繰り返される。即ち、一定時間が経過するまでは、EV/HEV登録情報が受信されない限り、ステップＳ１１２「ＮＯ，Ｓ１１３ＮＯのループ処理が繰り返される。
【０３３２】
一定時間以上経過しても、EV/HEV２からEV/HEV登録情報が送信されてこない場合、何らかの通信トラブルが発生したと予想される。よって、このような場合、ステップＳ１１３においてＹＥＳであると判定され、処理はステップＳ１０７に進む。
【０３３３】
これに対して、一定時間が経過する前に、EV/HEV２からEV/HEV登録情報が送信されてきた場合（後述する図２１のステップＳ１５２参照）、登録認証部４１は、そのEV/HEV登録情報を受信して、ステップＳ１１２においてＹＥＳであると判定して、処理を図２０のステップＳ１１０に進める。
【０３３４】
ステップＳ１１０の処理は、上述したように、図５，図６の電源供給システム登録認証処理におけるステップＳ８の処理と同様の処理である。
【０３３５】
ステップＳ１１４において、登録認証部４１は、EV/HEV登録情報に含まれるEV/HEV IDを登録し、処理をステップＳ１１５に進める。
【０３３６】
なお、ステップＳ１１５乃至ステップＳ１２１の処理は、図５，図６の電源供給システム登録認証処理におけるステップＳ９乃至ステップＳ１５の処理と同様の処理である。このためその説明を省略する。
【０３３７】
このようにして、電源供給システム相互登録認証処理が終了する。
【０３３８】
以上、図１９，図２０を参照して、電源供給システム１による電源供給システム相互登録認証処理について説明した。次に、図２１を参照して、EV/HEV２の充電用ECU２１による充電用ECU相互登録認証処理について説明する。
【０３３９】
図２１の充電用ECU相互登録認証処理において、充電用ECU２１が、電源供給システム１から認証され、システム認証情報またはシステム登録情報を受信した後の処理、即ち、EV/HEV２の充電用ECU２１が、電源供給システム１を登録または認証し、充電が開始されるまでの一連の処理は、図７を参照して説明した電源供給システム登録認証処理と基本的に同じである。よって、図２１においては、図７と同じ処理を行うステップについては、簡略化または省略して説明する。
【０３４０】
ステップＳ１４１の処理は、図７の充電用ECU登録認証処理におけるステップＳ２１と同様の処理である。
【０３４１】
ステップＳ１４２において、充電用ECU２１は、電源供給システム１に対して、EV/HEV認証情報を送信し、処理をステップＳ１４３に進める。
【０３４２】
ステップＳ１４３において、充電用ECU２１は、電源供給システム１からEV/HEV認証成功通知及びシステム認証情報、またはシステム登録情報を受信したか否かを判定する。
【０３４３】
上述したように、図１９のステップＳ１０４において、電源供給システム１からEV/HEV認証成功通知及びシステム認証情報が送信された場合、または図２０のステップＳ１１５においてシステム登録情報が送信された場合、充電用ECU２１は、EV/HEV認証成功通知及びシステム認証情報、またはシステム登録情報を受信する。電源供給システム１からEV/HEV認証成功通知及びシステム認証情報、またはシステム登録情報を受信した場合、ステップＳ１４３においてＹＥＳであると判定されて、処理はステップＳ１４４に進む。
【０３４４】
なお、ステップＳ１４４乃至ステップＳ１５０の処理は、図７の充電用ECU相互登録認証処理におけるステップＳ２３乃至ステップＳ２９の処理と同様である。このためその説明を省略する。
【０３４５】
これに対して、電源供給システム１からEV/HEV認証成功通知システム認証情報、またはシステム登録情報を受信していない場合、ステップＳ１４３においてＮＯであると判定されて、処理はステップＳ１５１に進む。
【０３４６】
ステップＳ１５１において、充電用ECU２１は、EV/HEV認証失敗通知を受信したか否かを判定する。
【０３４７】
上述したように、電源供給システム１においては、EV/HEV認証が失敗した場合、登録認証部４１からEV/HEV認証失敗通知が送信される（図１９のステップＳ１１１参照）。従って、EV/HEV２からEV/HEV失敗通知が送信されるまでの間、ステップＳ１５１においてＮＯと判定されて、処理はステップＳ１４８に進む。
【０３４８】
これに対して、充電用ECU２１が、EV/HEV認証失敗通知を受信した場合、ステップＳ１５１においてＹＥＳであると判定して、処理をステップＳ１５２に進める。
【０３４９】
ステップＳ１５２において、充電用ECU２１は、EV/HEV登録情報を電源供給システム１に対して送信し、処理はステップＳ１４３に進む。
【０３５０】
以上で、充電用ECU相互登録認証処理が終了する。
【０３５１】
このようにして、EV/HEV２が電源供給システム１を登録または認証するだけでなく、電源供給システム１がEV/HEV２を登録または認証することにより、盗電を防止する効果をさらに向上させることが可能となる。
【０３５２】
以上説明した本発明が適用されるEV/HEV用充電システムは、次のような効果を奏することが可能になる。
【０３５３】
例えば、本発明が適用されるEV/HEV用充電システムによれば、EV/HEV２は、登録または認証した電源供給システム１からのみ充電が可能である。電源供給システム１は、EV/HEV２に登録されることを許可したり、拒否したりすることが可能である。換言すると、電源供給システム１は、充電を許可していないEV/HEV２に対し、充電を禁止することができる。よって、盗電を防止することが可能となる。
【０３５４】
また、本発明が適用されるEV/HEV用充電システムにおいては、EV/HEV２は、充電を許可された複数の電源供給システム１からの充電が可能となる。
【０３５５】
またさらに、本発明が適用されるEV/HEV用充電システムにおいては、EV/HEV２は、認証装置を持ち運ぶ必要がない。よって、認証装置の置き忘れ等により、充電が許可されている電源供給システム１においても充電が不可能となるという事態を回避することができる。
【０３５６】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０３５７】
図２４は、上述した一連の処理をプログラムにより実行するコンピュータのハードウエアの構成例を示すブロック図である。
【０３５８】
コンピュータにおいて、CPU（Central Processing Unit）２０１，ROM（Read Only Memory）２０２，RAM（Random Access Memory）２０３は、バス２０４により相互に接続されている。
【０３５９】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０３６０】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０３６１】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０３６２】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０３６３】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０３６４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【符号の説明】
【０３６５】
１  電源供給システム，  ２  EV/HEV，  ３  登録許可信号出力装置，  ４  電線，  １１  電源供給制御装置，  １２  電源供給装置，  １３  制御装置，  １４  ネットワーク，  ２１  充電用ECU，  ２２  バッテリ，  ２３  インバータ，  ２４  モータ，  ２５  DCDC，  ２６  ECU，  ２７  状態提示装置，  ４１  登録認証部，  ４２  接続スイッチ,  ４３  コンセント，  ５１  表示部,  ６１  登録釦
【図１】
2010200528.tif 000003
【図２】
2010200528.tif 000004
【図３】
2010200528.tif 000005
【図４】
2010200528.tif 000006
【図５】
2010200528.tif 000007
【図６】
2010200528.tif 000008
【図７】
2010200528.tif 000009
【図８】
2010200528.tif 000010
【図９】
2010200528.tif 000011
【図１０】
2010200528.tif 000012
【図１１】
2010200528.tif 000013
【図１２】
2010200528.tif 000014
【図１３】
2010200528.tif 000015
【図１４】
2010200528.tif 000016
【図１５】
2010200528.tif 000017
【図１６】
2010200528.tif 000018
【図１７】
2010200528.tif 000019
【図１８】
2010200528.tif 000020
【図１９】
2010200528.tif 000021
【図２０】
2010200528.tif 000022
【図２１】
2010200528.tif 000023
【図２２】
2010200528.tif 000024
【図２３】
2010200528.tif 000025
【図２４】
2010200528.tif 000026